【誤訳訂正書】
【提出日】令和3年9月27日(2021.9.27)
【誤訳訂正１】
【訂正対象書類名】特許請求の範囲
【訂正対象項目名】全文
【訂正方法】変更
【訂正の内容】
【特許請求の範囲】
【請求項１】
梱包する段ボールブランク（Ｃ）を、前記段ボールブランク（Ｃ）に載っている物品（Ｄ）を中心に折り曲げるための折曲げステーション（Ｓ４）であって、前記段ボールブランク（Ｃ）は、第１の部分（Ｐ１）と、前記第１の部分（Ｐ１）の第１の横方向側にヒンジ結合された第１の側方を閉じる壁（Ｃ１）と、前記第１の側方に対向する、前記第１の部分（Ｐ１）の第２の横方向側にヒンジ結合された第２の側方を閉じる壁（Ｃ２）と、前記第２の側方を閉じる壁（Ｃ２）にヒンジ結合された上部を閉じる壁（ＰＳ）と、第３の側方を閉じる壁（Ｃ３）であって、前記第１の部分（Ｐ１）の第１の縦方向側にヒンジ結合され、縦方向折曲げ線（ｂ）により前記第３の側方を閉じる壁（Ｃ３）にヒンジ結合された折曲げタブ（ａ２）を有する第３の側方を閉じる壁（Ｃ３）と、第４の側方を閉じる壁（Ｃ４）であって、前記第１の部分（Ｐ１）の第２の縦方向側にヒンジ結合され、縦方向折曲げ線（ｄ）により前記第４の側方を閉じる壁（Ｃ４）にヒンジ結合された折曲げタブ（ａ４）を有する第４の側方を閉じる壁（Ｃ４）とを有し、
前記折曲げステーション（Ｓ４）は、入口（ＩＮ）、出口（ＯＵＴ）、および前記入口（ＩＮ）から前記出口（ＯＵＴ）に伸長するコンベヤ（４）を備え、
前記コンベヤ（４）は、前記入口（ＩＮ）で、梱包する段ボールブランク（Ｃ）を受け入れるために前もって配置され、前記梱包する段ボールブランク（Ｃ）は、前記第１の部分（Ｐ１）が前記コンベヤ（４）の上に載り、かつ前記第１の側方を閉じる壁（Ｃ１）が上流の方を向き、前記第１の部分（Ｐ１）と同じ平面上に配列され、かつ前記第２の側方を閉じる壁（Ｃ２）および前記上部を閉じる壁（ＰＳ）が下流の方を向き、前記第１の部分（Ｐ１）と同じ平面上に配列され、かつ前記第３の側方を閉じる壁（Ｃ３）および前記第４の側方を閉じる壁（Ｃ４）が前記第１の部分（Ｐ１）に対して部分的に高い位置にあり、コンベヤ（４）の両側から突出し、梱包すべき物品（Ｄ）は、前記物品（Ｄ）の底面が前記第１の部分（Ｐ１）の上に載り、第１の側方の側面が上流の前記第１の側方を閉じる壁（Ｃ１）の方を向き、かつ前記第１の側方に対向する第２の側方の側面が、前記第２の側方を閉じる壁（Ｃ２）の方を向き、前記第１の側方および前記第２の側方を横断する第３の側方の側面が前記第３の側方を閉じる壁（Ｃ３）の方を向き、かつ前記第３の側方に対向する第４の側方の側面が前記第４の側方を閉じる壁（Ｃ４）の方を向き、物品（Ｄ）の上面が上方を向いて配列されることを特徴とし、
前記折曲げステーション（Ｓ４）は
前記入口（ＩＮ）と前記出口（ＯＵＴ）の間に第１の折曲げゾーン（Ｚ１）と、前記第１の折曲げゾーン（Ｚ１）の下流に配列された第２の折曲げゾーン（Ｚ２）とを備え、前記コンベヤ（４）は、前記物品（Ｄ）が前記段ボールブランク（Ｃ）の前記第１の部分（Ｐ１）の上に前記物品（Ｄ）の前記底面を載せた前記段ボールブランク（Ｃ）を、前記第１の折曲げゾーン（Ｚ１）を通して前記第２の折曲げゾーン（Ｚ２）まで移すように前もって配置され、前記第１の折曲げゾーン（Ｚ１）は、
前記コンベヤ（４）の第１の側の側面のそばに配列された第１の折曲げ手段（７１）と、前記コンベヤ（４）の第２の側の側面のそばに配列される第２の折曲げ手段（７２）と
を備え、
前記第１の折曲げ手段（７１）は、前記コンベヤ（４）により前記第１の折曲げゾーン（Ｚ１）を通して前記段ボールブランク（Ｃ）を前進させる間、前記第３の側方を閉じる壁（Ｃ３）、および前記第３の側方を閉じる壁（Ｃ３）にヒンジ結合された前記折曲げタブ（ａ２）に当接するように前もって配置され、同じく前記コンベヤ（４）により前記段ボールブランク（Ｃ）を前進させる間、前記物品（Ｄ）を覆うように前記物品（Ｄ）の前記第３の側方の側面の方を向く位置に前記第３の側方を閉じる壁（Ｃ３）を持って行くまで、前記物品（Ｄ）が置かれた前記第１の部分（Ｐ１）に対して前記第３の側方を閉じる壁（Ｃ３）を回転させるように、かつ前記縦方向折曲げ線（ｂ）を中心に前記折曲げタブ（ａ２）を回転させて、前記物品（Ｄ）の上面の一部の上方に前記折曲げタブ（ａ２）を配列するまで、前記第３の側方を閉じる壁（Ｃ３）に対して前記折曲げタブ（ａ２）
を折り曲げるように構成され、
前記第２の折曲げ手段（７２）は、前記コンベヤ（４）により前記第１の折曲げゾーン（Ｚ１）を通して前記段ボールブランク（Ｃ）を前進させる間、前記第４の側方を閉じる壁（Ｃ４）、および前記第４の側方を閉じる壁（Ｃ４）にヒンジ結合された前記折曲げタブ（ａ４）に当接するように前もって配置され、同じく前記コンベヤ（４）により前記段ボールブランク（Ｃ）を前進させる間、前記物品（Ｄ）を覆うように前記物品（Ｄ）の前記第４の側方の側面の方を向く位置に前記第４の側方を閉じる壁（Ｃ４）を持って行くまで、前記物品（Ｄ）が置かれた前記第１の部分（Ｐ１）に対して前記第４の側方を閉じる壁（Ｃ４）を回転させるように、かつ前記縦方向折曲げ線（ｄ）を中心に前記折曲げタブ（ａ４）を回転させて、前記物品（Ｄ）の上面の一部の上方に前記折曲げタブ（ａ４）を配列するまで、前記第４の側方を閉じる壁（Ｃ４）に対して前記折曲げタブ（ａ４）を折り曲げるように構成され、
前記第２の折曲げゾーン（Ｚ２）は、
前記物品（Ｄ）を覆い、同時に、前記段ボールブランク（Ｃ）の前記第１の部分（Ｐ１）の上に載せて置かれた前記物品（Ｄ）の上面に対して高い位置に前記第２の側方を閉じる壁（Ｃ２）にヒンジ結合された前記上部を閉じる壁（ＰＳ）を持って行くように、前記物品（Ｄ）の前記第２の側方の側面の方を向く位置まで前記第１の部分（Ｐ１）に対して前記第２の側方を閉じる壁（Ｃ２）を折り曲げるように、少なくとも前記第２の側方を閉じる壁（Ｃ２）に当接して、前記第１の部分（Ｐ１）に対して前記第２の側方を閉じる壁（Ｃ２）を回転させるよう、前記コンベヤ（４）が前記第２の折曲げゾーン（Ｚ２）内で前記段ボールブランク（Ｃ）を担持するとき、前記コンベヤ（４）の横断軸を中心に回転させて、前記横断軸を中心に回転状態で作動することができるように、少なくとも前記コンベヤ（４）の片側の側面のそばに前もって配置された第３の折曲げ手段（７５）と、
前記上部を閉じる壁（ＰＳ）の位置に対応する高さに位置決め可能なように、前記コンベヤ（４）に対して下げる、または持ち上げることが可能なように、前記コンベヤ（４）の上方に前もって配置され、さらに、前記物品（Ｄ）を覆うように、前記物品の上面の上方で折り曲げられた２つのタブ（ａ２，ａ４）の上方かつ前記物品（Ｄ）の上面の上方に配列され、その結果、包装された物品を内部に伴い、部分的に閉じられた段ボール箱（ＳＣＡ）を得るように、前記物品（Ｄ）の前記上面の方を向き、その上方の位置に前記上方を閉じる壁（ＰＳ）を持って行くまで、前記第２の側方を閉じる壁（Ｃ２）に対して前記上方を閉じる壁（ＰＳ）を折り曲げるように、前記上方を閉じる壁（ＰＳ）に当接して、前記第２の側方を閉じる壁（Ｃ２）に対して前記上方を閉じる壁（ＰＳ）を回転させるように、前記コンベヤ（４）に平行な方向に平行移動可能なように前もって配置された第４の折曲げ手段（７６）と
を備えることを特徴とする折曲げステーション（Ｓ４）。
【請求項２】
前記第１の折曲げ手段（７１）は、前記コンベヤ（４）の前記第１の側の側面のそばに前もって配置され、かつ前記物品（Ｄ）を覆うように、前記物品（Ｄ）の前記第３の側方の側面の方を向く位置に前記第３の側方を閉じる壁（Ｃ３）を持って行くように、前記段ボールブランク（Ｃ）の前記第３の側方を閉じる壁（Ｃ３）に当接して、前記第１の部分（Ｐ１）に対して前記第３の側方を閉じる壁（Ｃ３）を回転させるために、低い位置と高い位置の間を移動可能なプッシャ（１１）と、湾曲した頭部（１２１）、および前記コンベヤ（４）に向かって傾いたまっすぐな本体（１２２）を有する折曲げロッド（１２）とを備え、前記折曲げロッド（１２）は、前記コンベヤ（４）により前記第１の折曲げゾーン（Ｚ１）を通して前記段ボールブランク（Ｃ）を前進させる間、前記湾曲した頭部（１２１）が、前記第３の側方を閉じる壁（Ｃ３）にヒンジ結合された前記折曲げタブ（ａ２）に当接し、前記第３の側方を閉じる壁（Ｃ３）に対して前記折曲げタブ（ａ２）を回転させ、一方では、前記傾いたまっすぐな本体（１２２）は、前記タブ（ａ２）に当接し、前記タブ（ａ２）を回転させ、前記タブ（ａ２）を押しつけて、前記物品（Ｄ）の前記上面の上で折り曲げるように前もって配置されることを特徴とし、前記第２の折曲げ手段（７２）はさらにまた、前記コンベヤ（４）の前記第２の側の側面のそばに前もって配置され、かつ前記物品（Ｄ）を覆うように、前記物品（Ｄ）の前記第４の側方の側面の方を向く位置に前記第４の側方を閉じる壁（Ｃ４）を持って行くように、前記段ボールブランク（Ｃ）の前記第４の側方を閉じる壁（Ｃ４）に当接し、前記第１の部分（Ｐ１）に対して前記第４の側方を閉じる壁（Ｃ４）を回転させるために、低い位置と高い位置の間を移動可能なプッシャ（２１）と、湾曲した頭部（２２１）、および前記コンベヤ（４）に向かって傾いたまっすぐな本体（２２２）を有する折曲げロッド（２２）とを備え、前記折曲げロッド（２２）は、前記コンベヤ（４）により前記第１の折曲げゾーン（Ｚ１）を通して前記段ボールブランク（Ｃ）を前進させる間、前記湾曲した頭部（２２１）が、前記第４の側方を閉じる壁（Ｃ４）にヒンジ結合された前記折曲げタブ（ａ４）に当接し、前記第４の側方を閉じる壁（Ｃ４）に対して前記折曲げタブ（ａ４）を回転させ、一方では、前記傾いたまっすぐな本体（２２２）は、前記タブ（ａ４）に当接し、前記タブ（ａ４）を回転させ、前記タブ（ａ４）を押しつけて、前記物品（Ｄ）の前記上面の上で折り曲げるように前もって配置されることを特徴とする、請求項１に記載の折曲げステーション。
【請求項３】
前記第１の折曲げ手段（７１）の前記折曲げロッド（１２）、および前記第２の折曲げ手段（７２）の前記折曲げロッド（２２）は、前記段ボールブランク（Ｃ）の実際の寸法、ならびに前記第３の側方を閉じる壁（Ｃ３）および前記第４の側方を閉じる壁（Ｃ４）の実際の位置に基づき、前記折曲げロッド（１２、２２）の相互位置を調節するように、相互に近づくことができる、または相互に遠ざかることができるように前もって配置され、さらに、前記第３の側方を閉じる壁（Ｃ３）および前記第４の側方を閉じる壁（Ｃ４）の実際の高さに基づき、前記コンベヤ（４）に対して前記折曲げロッド（１２、２２）の高さを調節するように、前記コンベヤ（４）に対して持ち上げることができる、または下げることができるように前もって配置されることを特徴とする、請求項２に記載の折曲げステーション。
【請求項４】
前記折曲げステーションは、前記第１の折曲げゾーン（Ｚ１）で、前記コンベヤ（４）の上方に前もって配置された第１のフレーム（Ｔ１）と、前記第１のフレーム（Ｔ１）に対して垂直にスライド可能なように、前記第１のフレーム（Ｔ１）上に搭載された第２のフレーム（Ｔ２）とを備え、前記第１の折曲げ手段（７１）の前記折曲げロッド（１２）、および前記第２の折曲げ手段（７２）の前記折曲げロッド（２２）は、前記第２のフレーム（Ｔ２）により担持されるように前もって配置され、前記コンベヤの横断方向に従って前記第２のフレーム（Ｔ２）に対して平行移動可能なように、前記第２のフレーム（Ｔ２）に対して平行移動可能なように前もって配置されることを特徴とする、請求項３に記載の折曲げステーション。
【請求項５】
前記折曲げステーションは、前記コンベヤ（４）を横断して前記第２のフレーム（Ｔ２）の上に前もって配置された第１の水平スライドガイド（５）を備えること、ならびに前記第１の折曲げ手段（７１）の前記折曲げロッド（１２）、および前記第２の折曲げ手段（７２）の前記折曲げロッド（２２）は、前記第１の水平スライドガイド（５）の上に前もって配置され、スライド可能に連結されたキャリッジ（１５）の上に搭載され、前記キャリッジ（１５）により担持されることを特徴とする、請求項４に記載の折曲げステーション。
【請求項６】
前記コンベヤ（４）に対して前記折曲げロッド（１２、２２）の高さを調節して、前記第３の側方を閉じる壁（Ｃ３）および前記第４の側方を閉じる壁（Ｃ４）の実際の高さに前記折曲げロッド（１２、２２）の位置を調節するように、前記第１のフレーム（Ｔ１）に対して前記第２のフレーム（Ｔ２）を持ち上げる、または下げるために前もって配置された、前記第１のフレーム（Ｔ１）に対して前記第２のフレーム（Ｔ２）を垂直に動かすための第１の移動手段（１６）と、前記段ボールブランク（Ｃ）の実際の寸法、ならびに前記第３の側方を閉じる壁（Ｃ３）および前記第４の側方を閉じる壁（Ｃ４）の実際の位置に基づき、前記コンベヤ（４）に対して、前記折曲げロッド（１２、２２）の相互の位置および距離を調節および規制するように、前記折曲げロッド（１２、２２）を互いに近づける、または遠ざけることができるように、前記キャリッジ（１５）を前記第１の水平スライドガイド（５）に沿って相互に近づける、または遠ざけることができるように平行移動するために前もって配置された、前記第２のフレーム（Ｔ２）の前記第１の水平スライドガイド（５）に沿って前記キャリッジ（１５）を動かすための第２の移動手段（１７）とを備えることを特徴とする、請求項５に記載の折曲げステーション。
【請求項７】
前記第２の折曲げゾーン（Ｚ２）で前記段ボールブランク（Ｃ）を妨害して、前記第２の側方を閉じる壁（Ｃ２）を折り曲げるために前記第３の折曲げ手段（７５）の作動するのを、および前記上部を閉じる壁（ＰＳ）を折り曲げるために前記第４の折曲げ手段（７６）の作動するように前もって配置された妨害手段（７４）を前記第２の折曲げゾーン（Ｚ２）内に備えることを特徴とする、請求項１〜６のいずれか一項に記載の折曲げステーション。
【請求項８】
前記妨害手段（７４）は、前記第３の側方を閉じる壁（Ｃ３）および前記第４の側方を閉じる壁（Ｃ４）に当接して、前記段ボールブランク（Ｃ）を妨害するように、広がった構成と近づいた構成の間で回転可能なように、それぞれ前記コンベヤ（４）に平行な軸を中心に回転可能なように前もって配置された、前記コンベヤ（４）の両側に配列された１対の顎部（４７）を備え、前記１対の顎部（４７）は、前記段ボールブランク（Ｃ）の実際の寸法、および前記第３の側方を閉じる壁（Ｃ３）と前記第４の側方を閉じる壁（Ｃ４）の間の実際の距離に対して、前記１対の顎部（４７）の相互距離を調節するように、互いに相互に近づけることができる、または遠ざけることができるように前もって配置されることを特徴とする、請求項７に記載の折曲げステーション。
【請求項９】
前記第２の折曲げゾーン（Ｚ２）内に提供された前記第３の折曲げ手段（７５）は、少なくとも１対の押さえ面（５７）を備え、前記押さえ面（５７）は、前記物品（Ｄ）を覆い、同時に、前記段ボールブランク（Ｃ）の前記第１の部分（Ｐ１）の上に載せて置かれた前記物品（Ｄ）の前記上面に対して高い位置に前記第２の側方を閉じる壁（Ｃ２）にヒンジ結合された前記上部を閉じる壁（ＰＳ）を持って行くように、前記物品（Ｄ）の前記第２の側方の側面の方を向く位置まで前記第１の部分（Ｐ１）に対して前記第２の側方を閉じる壁（Ｃ２）を折り曲げるように、前記第２の側方を閉じる壁（Ｃ２）に当接して、前記物品（Ｄ）が載った前記段ボールブランク（Ｃ）の前記第１の部分（Ｐ１）に対して前記第２の側方を閉じる壁（Ｃ２）を回転させることができるように、前記押さえ面（５７）が前記コンベヤ（４）の水準に最大限でも等しい水準の水平位置にある低い位置から、前記押さえ面（５７）が垂直位置にある高い位置まで回転状態で作動するように、前記コンベヤ（４）を横断する軸を中心に回転状態で作動するように、前記コンベヤ（４）の両側に配列されることを特徴とする、請求項１〜８のいずれか一項に記載の折曲げステーション。
【請求項１０】
前記第２の折曲げゾーン（Ｚ２）内に提供された前記第４の折曲げ手段（７６）は、前記コンベヤ（４）の両側の上方に配列され、かつ前記コンベヤ（４）に関連する水平回転軸および横断回転軸を中心に使用されない状態で搭載された少なくとも車輪ペア（６７）を備え、前記車輪ペア（６７）の車輪（６７）は、前記段ボールブランク（Ｃ）の実際の寸法、ならびに前記上部を閉じる壁（ＰＳ）の実際の寸法および幅に基づき、前記コンベヤ（４）に対して前記車輪（６７）の位置を調節するように、互いに相互に近づけられる、または遠ざけられるような方法で前もって配置され、さらに、前記上部を閉じる壁（ＰＳ）の位置に対応する高さに位置決め可能なように、前記コンベヤ（４）に対して下げることができる、または持ち上げることができるように前もっと配置されることを特徴とし、前記車輪ペア（６７）の前記車輪（６７）は、前記物品（Ｄ）を覆うように、前記物品（Ｄ）の前記上面の上方で折り曲げられた前記２つの折曲げタブ（ａ２、ａ４）の上方かつ前記上面の上方に配列されるように、前記物品（Ｄ）の前記上面の方を向き、前記物品（Ｄ）の前記上面の上方に前記上方を閉じる壁（ＰＳ）を持って行くまで、前記第２の側方を閉じる壁（Ｃ２）に対して前記上方を閉じる壁（ＰＳ）を折り曲げるように、前記上部を閉じる壁（ＰＳ）に当接して、回転させるように、前記コンベヤ（４）に平行な方向に平行移動可能なように前もって配置されることを特徴とする、請求項１〜９のいずれか一項に記載の折曲げステーション。
【請求項１１】
前記折曲げステーションは、前記第２の折曲げゾーン（Ｚ２）に、前記コンベヤ（４）の上方に前もって配置された第３のフレーム（Ｔ３）と、前記第３のフレーム（Ｔ３）に対して垂直にスライド可能なように第３のフレーム（Ｔ３）上に搭載された第４のフレーム（Ｔ４）とを備え、前記車輪ペア（６７）の前記車輪（６７）は、前記第４のフレーム（Ｔ４）により担持されるように前もって配置され、前記コンベヤ（４）を横断する方向に従って前記第４のフレーム（Ｔ４）に対して平行移動可能なように、前記第４のフレーム（Ｔ４）に対して平行移動可能なように前もって配置されることを特徴とする、請求項１０に記載の折曲げステーション。
【請求項１２】
前記折曲げステーションは、前記コンベヤ（４）を横断して前記第４のフレーム（Ｔ４）の上に前もって配置された第２の水平スライドガイド（５８）を備えること、ならびに前記車輪ペア（６７）の前記車輪（６７）は、前記第２の水平スライドガイド（５８）の上に前もって配置され、かつスライド可能に連結されたキャリッジ（６９）により拘束され、担持される関連する直立部分（６８）により搭載され、かつ担持されること、ならびに前記折曲げステーションは、前記コンベヤ（４）に平行な前記直立部分（６８）の上に前もって配置された第３の水平スライドガイド（５９）を備えること、ならびに前記車輪ペア（６７）の前記車輪（６７）の回転軸は、前記第３の水平スライドガイド（５９）の上にスライド可能に搭載されたキャリッジ（６４）により担持されることを特徴とする、請求項１１に記載の折曲げステーション。
【請求項１３】
前記折曲げステーションは、前記コンベヤ（４）に対して前記車輪ペア（６７）の前記車輪（６７）の高さを調節し、かつ前記上部を閉じる壁（ＰＳ）の実際の高さに前記車輪（６７）の位置を調節するように、前記第３のフレーム（Ｔ３）に対して前記第４のフレーム（Ｔ４）を持ち上げる、または下げるように前もって配置された、前記第３のフレーム（Ｔ３）に対して前記第４のフレーム（Ｔ４）を垂直に動かすための第３の移動手段（３６）と、前記段ボールブランク（Ｃ）の実際の寸法、および前記上部を閉じる壁（ＰＳ）の有効幅に基づき、前記車輪（６７）の位置を調節および規制する目的で、前記車輪（６７）を担持する前記直立部分（６８）を互いに近づける、または遠ざけるように、互いに前記キャリッジ（６９）を近づける、または遠ざけるように、前記第２の水平スライドガイド（５８）に沿って前記キャリッジ（６９）を平行移動させるために前もって配置された、前記第３のフレーム（Ｔ３）の前記第２の水平スライドガイド（５８）に沿って前記キャリッジ（６９）を動かすための第４の移動手段（３７）と、前記物品（Ｄ）を覆うように、前記物品（Ｄ）の前記上面の上方で折り曲げられた前記２つの折曲げタブ（ａ２、ａ４）の上方かつ前記上面の上方に配列されるように、前記物品（Ｄ）の前記上面の方を向き、かつ前記物品（Ｄ）の前記上面の上方の位置に前記上部を閉じる壁（ＰＳ）を持って行くまで前記第２の側方を閉じる壁（Ｃ２）に対して前記上部を閉じる壁（ＰＳ）を折り曲げるように、前記第２の側方を閉じる壁（Ｃ２）に対して前記上部を閉じる壁（ＰＳ）を回転させるように、前記車輪が前記上部を閉じる壁（ＰＳ）に当接するように、前記コンベヤ（４）に平行に、かつ前記上部を閉じる壁（ＰＳ）に向けて前記車輪（６７）を平行移動するように、前記コンベヤ（４）に平行に前記直立部分（６８）の上に前もって配置された前記第３の水平スライドガイド（５９）に沿って前記キャリッジ（６４）を平行移動するための第５の移動手段（３９）とを備えることを特徴とする、請求項１２に記載の折曲げステーション。
【請求項１４】
前記物品（Ｄ）の前記第３の側方の側面および前記第４の側方の側面の方を向いて閉じた位置に前記第３の側方を閉じる壁（Ｃ３）および前記第４の側方を閉じる壁（Ｃ４）を維持するために、前記第３の側方を閉じる壁（Ｃ３）および前記第４の側方を閉じる壁（Ｃ４）に当接するように、かつ前記コンベヤ（４）により前記第１の折曲げゾーン（Ｚ１）から前記第２の折曲げゾーン（Ｚ２）へ、前記上方を閉じる壁（ＰＳ）が前記物品（Ｄ）の前記上面の上で折り曲げられ、配置されるときまで前記段ボールブランク（Ｃ）を移す間、前記上面に向かって折り曲げられたまま前記２つの折曲げタブ（ａ２、ａ４）を維持するように、前記物品（Ｄ）の前記上面の上に折り曲げられた前記２つの折曲げタブ（ａ２、ａ４）に当接するように、前もって配置され、構成された、前記第１の折曲げゾーン（Ｚ１）と前記第２の折曲げゾーン（Ｚ２）の間に配列された折曲げ維持手段（１８）を備えることを特徴とする、請求項１〜１３のいずれか一項に記載の折曲げステーション。
【請求項１５】
前記折曲げ維持手段（１８）は、前記コンベヤ（４）により前記第１の折曲げゾーン（Ｚ１）から前記第２の折曲げゾーン（Ｚ２）まで前記段ボールブランク（Ｃ）を移す間、前記物品（Ｄ）の前記第３の側方の側面に向かって前記第３の側方を閉じる壁（Ｃ３）が押しつけられたまま維持するように、前記第３の側方を閉じる壁（Ｃ３）と外部で接触するように、前記コンベヤ（４）の上方に前もって配置された第１のフレーム（Ｔ１）と、前記第１のフレーム（Ｔ１）に対して垂直にスライド可能なように、前記第１のフレーム（Ｔ１）上に搭載された第２のフレーム（Ｔ２）上に前もって配置された、第１の水平スライドガイド（５）上にスライド可能に連結されたキャリッジ（１５）に担持され、拘束されるように前もって配置された、前記第１の折曲げ手段（７１）の前記折曲げロッド（１２）の側面のそばに、前記コンベヤ（４）に対して前記側面の外部に配列された第１の水平バー（１８１）と；前記コンベヤ（４）により前記第１の折曲げゾーン（Ｚ１）から前記第２の折曲げゾーン（Ｚ２）まで前記段ボールブランク（Ｃ）を移す間、前記物品（Ｄ）の前記第４の側方の側面に向かって前記第４の側方を閉じる壁（Ｃ４）が押しつけられたまま維持するために、前記第４の側方を閉じる壁（Ｃ４）と外部で接触するように、前記キャリッジ（１５）に同じく担持され、束縛されるように前もって配置された、前記第２の折曲げ手段（７２）の前記折曲げロッド（２２）の側面のそばに、前記コンベヤ（４）に対して前記側面の外部に配列された第２の水平バー（１８２）と；前記コンベヤ（４）により前記第１の折曲げゾーン（Ｚ１）から前記第２の折曲げゾーン（Ｚ２）まで前記段ボールブランク（Ｃ）を移す間、前記物品（Ｄ）の前記上面の上で折り曲げられた前記２つの折曲げタブ（ａ２、ａ４）に当接して、前記物品（Ｄ）のこの上面に向かって前記２つの折曲げタブ（ａ２、ａ４）が押しつけられたまま維持することができるような位置に位置決めされるように、担持され、前記キャリッジ（１５）に束縛されるように、前記第１の水平バー（１８１）と前記第２の水平バー（１８２）の間に前もって配置された１対のリブ（１９）とを備えることを特徴とする、請求項１４に記載の折曲げステーション。
【請求項１６】
前記第１の折曲げゾーン（Ｚ１）と前記第２の折曲げゾーン（Ｚ２）の間に前もって配置され、前記物品（Ｄ）の前記上面の上で前記第３の側方を閉じる壁（Ｃ３）に対して折り曲げられた前記折曲げタブ（ａ２）に接着剤を塗布するように、かつ前記物品（Ｄ）の前記上面の上で前記第４の側方を閉じる壁（Ｃ４）に対して折り曲げられた前記折曲げタブ（ａ４）に接着剤を塗布するように構成された接着剤塗布手段（７３）を備えることを特徴とする、請求項１〜１５のいずれか一項に記載の折曲げステーション。
【請求項１７】
前記接着剤塗布手段（７３）は、前記コンベヤ（４）により前記第１の折曲げゾーン（Ｚ１）から前記第２の折曲げゾーン（Ｚ２）まで前記段ボールブランク（Ｃ）を移す間、前記折曲げタブ（ａ２、ａ４）に接着剤を分与し、塗布することができるように、前記物品（Ｄ）の前記上面の上に折り曲げられた前記折曲げタブ（ａ２、ａ４）の上に位置決めされるように、担持され、前記コンベヤ（４）の上方に前もって配置された第１のフレーム（Ｔ１）と、前記第１のフレーム（Ｔ１）に対して垂直にスライド可能なように、前記第１のフレーム（Ｔ１）上に搭載された第２のフレーム（Ｔ２）上に前もって配置された、第１の水平スライドガイド（５）の上にスライド可能に搭載されたキャリッジ（１５）に束縛されるように前もって配置された１対の接着剤分与ガン（７３）を備えることを特徴とする、請求項１６に記載の折曲げステーション。
【請求項１８】
段ボールシート（Ｆ）から得られる段ボール箱の内部に物品を包装するための機械（１００）であって、
−段ボール（Ｓ）の連続ストリップが、ファンフォールド（ＳＦ）を形成するために折り重ねられて前もって配置された貯蔵所（Ｍ）と、
−前記貯蔵所（Ｍ）の下流に位置する、前記段ボール（Ｓ）の連続ストリップから得られる段ボールシート（Ｆ）の区分化ステーション（Ｓ１）であって、前記ファンフォールド（ＳＦ）から巻き戻された前記段ボール（Ｓ）の連続ストリップを載せて受け入れることができるように前もって配置されたコンベヤ平面（１）と、前進方向（ｗ）で前記コンベヤ平面（１）に沿って前記段ボール（Ｓ）の連続ストリップを前進させるための、および前記段ボール（Ｓ）の連続ストリップの切断を可能にするために前記段ボール（Ｓ）の連続ストリップを停止させるための運搬手段（２）と、前記段ボール（Ｓ）の連続ストリップから段ボールシート（Ｆ）を分割して、前記段ボール（Ｓ）の連続ストリップの縁部切れ目に平行な横方向折目線（Ｔ４）を同時に実現するための、前記コンベヤ平面（１）の上方に前もって配置された分割グループ（３）とを備える区分化ステーション（Ｓ１）と、
−前記区分化ステーション（Ｓ１）から到来する前記切断された段ボールシート（Ｆ）が供給され、前進方向で前進させられる、前記区分化ステーション（Ｓ１）の下流の折目線形成ステーション（Ｓ１＊）であって、前記段ボールシート（Ｆ）内で中央セクタ（ＳＣ）および２つの側方セクタ（ＳＬ１、ＳＬ２）を識別するように、梱包すべき前記物品の底部の長さ（Ｌ）に対応する距離だけ互いに距離を置いた、前記前進方向に平行に、かつ前記段ボールシート（Ｆ）の縦方向縁部（ＢＬ）に平行に、前記段ボールシート（Ｆ）上に２つの縦方向折目線（Ｌ１、Ｌ２）を実現するように前もって配置された第１の折目線形成手段（５１）、
前記中央セクタ（ＳＣ）内で、前記区分化ステーション（Ｓ１）内に事前に実現された前記平行な横方向折目線（Ｔ４）により構成される第４の横方向折目線（Ｔ４）と共に、５つの部分（Ｐ１、Ｐ２、Ｐ３、Ｐ４、Ｐ５）を、すなわち：第１の横方向折目線（Ｔ１）と第２の横方向折目線（Ｔ２）の間で梱包すべき前記物品の前記底部に対応する寸法を有する第１の部分（Ｐ１）；前記段ボールシート（Ｆ）の第１の横方向縁部（Ｂ１）と前記第１の横方向折目線（Ｔ１）の間で前記物品の第１の側面に対応する寸法を有する第２の部分（Ｐ２）；前記第２の横方向折目線（Ｔ２）と第３の横方向折目線（Ｔ３）の間で前記第１の側面に対向する、前記物品の第２の側面に対応する寸法を有する、前記第１の部分（Ｐ１）に隣接する第３の部分（Ｐ３）；前記第３の横方向折目線（Ｔ３）と前記第４の横方向折目線（Ｔ４）の間で前記物品の前記上面に対応する寸法を有する第４の部分（Ｐ４）；および前記第４の横方向折目線（Ｔ４）と前記段ボールシート（Ｆ）の第２の横方向縁部（Ｂ２）の間で前記段ボールシートの材料のストリップにより構築された第５の部分（Ｐ５）を識別するように距離を置いた、事前に実現された前記折曲げ線（Ｔ４）に平行で互いに平行な、３つの横方向折目線（Ｔ１、Ｔ２、Ｔ３）を実現するために前もって配置された第２の折目線形成手段（５２）、
ならびに前記２つの側方セクタ（ＳＬ１、ＳＬ２）の前記段ボールシート（Ｆ）の部分内で、前記第１の部分（Ｐ１）の側面に、前記２つの縦方向折目線（Ｌ１、Ｌ２）に平行で、前記第１の部分（Ｐ１）と同じ幅伸長を有する縦方向折曲げ線の対（ａ，ｂ）、（ｃ，ｄ）を実現するように前もって配置された第３の折目線形成手段（５３）
を備える折目線形成ステーション（Ｓ１＊）と、
−前記段ボールシート（Ｆ）が、前記中央セクタ（ＳＣ）内の前記２つの縦方向折目線（Ｌ１、Ｌ２）、４つの横方向折目線（Ｔ１、Ｔ２、Ｔ３、Ｔ４）、および前記２つの側方セクタ（ＳＬ１、ＳＬ２）内の前記折曲げ線の対（ａ，ｂ）、（ｃ，ｄ）を伴って前進方向で供給される、前記折目線形成ステーション（Ｓ１＊）の下流の横方向切断ステーション（Ｓ２）であって、前記第２の部分（Ｐ２）の２つの端部に、第１の強化フラップ（Ｒ１）および第２の強化フラップ（Ｒ２）を；前記第１の部分（Ｐ１）の２つの端部に、第１の側方を包むフラップ（Ａ１）であって、前記折曲げ線（ａ）と前記第１の縦方向折目線（Ｌ１）の間に第１の折曲げタブ（ａ１）、前記折曲げ線（ｂ）と前記第１の側方を包むフラップ（Ａ１）の縁部の間に第２の折曲げタブ（ａ２）、および前記２つの縦方向折曲げ線（ａ，ｂ）の間に中央部分（Ｃ３）を識別する第１対の縦方向折曲げ線（ａ，ｂ）を含む第１の側方を包むフラップ（Ａ１）、ならびに第２の側方を包むフラップ（Ａ２）であって、前記折曲げ線（ｃ）と第２の縦方向折目線（Ｌ２）の間に第３の折曲げタブ（ａ３）、前記折曲げ線（ｄ）と前記第２の側方を包むフラップ（Ａ２）の縁部の間に第４の折曲げタブ（ａ４）、および２つの縦方向折曲げ線（ｃ，ｄ）の間に中央部分（Ｃ４）を識別する第２対の縦方向折曲げ線（ｃ，ｄ）を含む第２の側方を包むフラップ（Ａ２）を；前記第３の部分（Ｐ３）の２つの端部に、第３の強化フラップ（Ｒ３）および第４の強化フラップ（Ｒ４）を；前記第４の部分（Ｐ４）の２つの端部に、第５の強化フラップ（Ｒ５）および第６の強化フラップ（Ｒ６）を得るように、前記４つの横方向折目線（Ｔ１、Ｔ２、Ｔ３、Ｔ４）に前記段ボールシート（Ｆ）の前記２つの側方セクタ（ＳＬ１、ＳＬ２）ごとに４つの横方向切れ目（Ｉ１、Ｉ２、Ｉ３、Ｉ４）を達成するための、かつ前記横方向切断ステーション（Ｓ２）の出口で前記物品を梱包するための段ボールブランク（Ｃ）を提供するように前記第４の横方向折目線（Ｔ４）と前記第２の横方向縁部（Ｂ２）の間で段ボール箱の閉鎖タブ（ＡＣ）を形成するための、切断手段（４１、４２）を備える横方向切断ステーション（Ｓ２）と、
−前記段ボールブランク（Ｃ）が前進方向で供給され、停止させられる、前記横方向切断ステーション（Ｓ２）の下流の第１の折曲げステーション（Ｓ３）であって、前記段ボールブランク（Ｃ）の第１の側方セクタ（ＳＬ１）内に存在する前記第１の強化フラップ（Ｒ１）、前記第１の側方を包むフラップ（Ａ１）の前記第１の折曲げタブ（ａ１）、前記第３の折曲げタブ（Ｒ３）、および第５の強化フラップ（Ｒ５）をそれぞれ折り曲げて、配列するように、すなわち、前記第１の強化フラップ（Ｒ１）を前記中央セクタ（ＳＣ）の前記第２の部分（Ｐ２）の上方に；前記第１の折曲げタブ（ａ１）を前記中央セクタ（ＳＣ）の第１の部分（Ｐ１）の一部の上方に；前記第３の強化フラップ（Ｒ３）を前記中央セクタ（ＳＣ）の前記第３の部分（Ｐ３）の上方に、および前記第５の強化フラップ（Ｒ５）を前記中央セクタ（ＳＣ）の前記第４の部分（Ｐ４）の上方に配列するように、前記段ボールブランク（Ｃ）の第１の側方セクタ（ＳＬ１）内に存在する前記第１の強化フラップ（Ｒ１）、前記第１の側方を包むフラップ（Ａ１）の前記第１の折曲げタブ（ａ１）、前記第３の折曲げタブ（Ｒ３）、および第５の強化フラップ（Ｒ５）に当接して、それらを第１の縦方向折目線（Ｌ１）を中心に回転させるように、前記段ボールブランク（Ｃ）の前記前進方向に平行な回転軸を中心に回転可能な、前記段ボールブランクの第１の側に配列された第１の折曲げバー（６１）と；前記段ボールブランク（Ｃ）の第２の側方セクタ（ＳＬ２）内に存在する前記第２の強化フラップ（Ｒ２）、前記第２の側方を包むフラップ（Ａ２）の前記第３の折曲げタブ（ａ３）、前記第４の強化フラップ（Ｒ４）、および前記第６の強化フラップ（Ｒ６）をそれぞれ折り曲げて、配列するように、すなわち：前記第２の強化フラップ（Ｒ２）を前記中央セクタ（ＳＣ）の前記第２の部分（Ｐ２）の上方に；前記第３の折曲げタブ（ａ３）を前記中央セクタ（ＳＣ）の前記第１の部分（Ｐ１）の一部の上方に；前記第４の強化フラップ（Ｒ４）を前記中央セクタ（ＳＣ）の前記第３の部分（Ｐ３）の上方に、および前記第６の強化フラップ（Ｒ６）を前記中央セクタ（ＳＣ）の第４の部分（Ｐ４）の上方に配列するように、前記段ボールブランク（Ｃ）の前記第２の側方セクタ（ＳＬ２）内に存在する前記第２の強化フラップ（Ｒ２）、前記第２の側方を包むフラップ（Ａ２）の前記第３の折曲げタブ（ａ３）、前記第４の折曲げフラップ（Ｒ４）、および前記第６の強化フラップ（Ｒ６）を、前記第２の縦方向折曲げ線（Ｌ２）を中心に回転させるために、前記段ボールブランク（Ｃ）の前記第２の側方セクタ（ＳＬ２）内に存在する前記第２の強化フラップ（Ｒ２）、前記第２の側方を包むフラップ（Ａ２）の前記第３の折曲げタブ（ａ３）、前記第４の折曲げフラップ（Ｒ４）、および前記第６の強化フラップ（Ｒ６）に当接するように、前記段ボールブランク（Ｃ）の前記前進方向に平行な回転軸を中心に回転可能な、前記段ボールブランクの前記第２の側の側面のそばに配列された第２の折曲げバー（６２）とを備え、その結果、前記第１の強化フラップ（Ｒ１）および前記第２の強化フラップ（Ｒ２）が上で折り曲げられた前記第２の部分（Ｐ２）は、第１の側方を閉じる壁（Ｃ１）を形成し；前記第３の強化フラップ（Ｒ３）および前記第４の強化フラップ（Ｒ４）が上で折り曲げられた前記第３の部分（Ｐ３）は、第２の側方を閉じる壁（Ｃ２）を形成し；前記中央セクタ（ＳＣ）の前記第１の部分（Ｐ１）の一部の上方で折り曲げられた前記第１の側方を包むフラップ（Ａ１）の前記第１の折曲げタブ（ａ１）は、強化縁部を形成し、一方では、高い位置にある前記第１の側方を包むフラップ（Ａ１）の前記中央部分（Ｃ３）は、第３の側方を閉じる壁（Ｃ３）を画定し、前記中央セクタ（ＳＣ）の前記第１の部分（Ｐ１）の一部の上方で折り曲げられた前記第２の側方を包むフラップ（Ａ２）の第３の折曲げタブ（ａ３）は、強化縁部を形成し、一方では、高い位置にある前記第２の側方を包むフラップ（Ａ２）の前記中央部分（Ｃ４）は、第４の側方を閉じる壁（Ｃ４）を画定する第１の折曲げステーション（Ｓ３）と、
−前記第１の折曲げステーション（Ｓ３）から到来する前記段ボールブランク（Ｃ）が供給される、梱包すべき前記物品の供給ステーション（Ｓ３＊）であって、梱包すべき前記物品は、前記段ボールブランク（Ｃ）の前記第１の部分（Ｐ１）の上部に前記物品の前記底面を載せて置かれ、第１の側面は、前記第１の側方を閉じる壁（Ｃ１）の方を向き、前記第１の側面に対向する第２の側面は、前記第２の側方を閉じる壁（Ｃ２）の方を向き、前記第１の側面および前記第２の側面を横断する第３の側面は、前記第３の側方を閉じる壁（Ｃ３）の方を向き、前記第３の側面に対向する第４の側面は、前記第４の側方を閉じる壁（Ｃ４）の方を向く供給ステーション（Ｓ３＊）と、
−前記段ボールブランク（Ｃ）の第１の部分（Ｐ１）の上で、前記段ボールブランク（Ｃ）の上に載った前記物品を伴う前記段ボールブランク（Ｃ）が供給され、請求項１〜１７に記載の前期折曲げステーション（Ｓ４）に従って実現される、前進方向で前進させられる第２の折曲げステーション（Ｓ４）であって、前記第３の側方を閉じる壁（Ｃ３）を回転させて、前記第３の側方を閉じる壁（Ｃ３）が前記物品の前記第３の側方を覆うようになるときまで前記第３の側方を閉じる壁（Ｃ３）を折り曲げるための、および前記第３の側方を閉じる壁（Ｃ３）から前記第２の折曲げタブ（ａ２）を分離する前記折曲げ線（ｂ）に対して前記第２の折曲げタブ（ａ２）を回転させて、前記物品（Ｄ）の前記上面の一部の上に前記第２の折曲げタブ（ａ２）を重ねるまで前記第２の折曲げタブ（ａ２）を折り曲げるための第１の折曲げ手段（７１）と；前記第４の側方を閉じる壁（Ｃ４）を回転させて、前記第４の側方を閉じる壁（Ｃ４）が前記物品の前記第４の側面を覆うようになるときまで前記第４の側方を閉じる壁（Ｃ４）を折り曲げるための、および前記物品の前記上部の一部の上に前記第４の折曲げタブ（ａ４）を重ねるまで前記第４の折曲げタブ（ａ４）を折り曲げるように、前記第４の側方を閉じる壁（Ｃ４）から前記第４の折曲げタブ（ａ４）を分離する前記折曲げ線（ｄ）に対して前記第４の折曲げタブ（ａ４）を回転させるための第２の折曲げ手段（７２）と；前記物品の前記上面の上に折り曲げられた前記第２の折曲げタブ（ａ２）および前記第４の折曲げタブ（ａ４）の上に接着剤を塗布するために前もって配置された接着剤塗布手段（７３）と；前記接着剤塗布手段（７３）が前記接着剤を塗布すると、前記段ボールブランク（Ｃ）を妨害して、停止させるための妨害手段（７４）と；前記第２の側方を閉じる壁（Ｃ２）が前記物品の前記第２の側面を覆うようになるときまで、前記物品が載った前記第１の部分（Ｐ１）に対して前記第２の側方を閉じる壁（Ｃ２）を折り曲げるように、前記第２の側方を閉じる壁（Ｃ２）を回転させるための第３の折曲げ手段（７５）と；連続して、前記上部を閉じる壁（ＰＳ）を回転させるための、および前記上部を閉じる壁（ＰＳ）が前記物品の前記上面を覆うようになり、したがって、出口で、前記梱包された物品を内部に伴い、部分的に閉じられた段ボール箱（ＳＣＡ）を前記第２の折曲げステーション（Ｓ４）から提供するようになるときまで、前記第２の側方を閉じる壁（Ｃ２）に対して前記上部を閉じる壁（ＰＳ）を折り曲げるための、第４の折曲げ手段（７６）とを備える第２の折曲げステーション（Ｓ４）と、
−前記第２の折曲げステーション（Ｓ４）の下流に位置し、前記部分的に閉じられた段ボール箱（ＳＣＡ）が供給される最終閉鎖ステーション（Ｓ５）であって、前記段ボール箱（ＳＣＡ）を停止させるために作動する停止手段（８）と；前記第１の側方を閉じる壁（Ｃ１）が前記物品の前記第１の側面を覆うようになるように、前記物品が載った前記第１の部分（Ｐ１）に対して前記第１の側方を閉じる壁（Ｃ１）を折り曲げるように、前記段ボール箱（ＳＣＡ）が前記第１の横方向折目線（Ｔ１）に対して前記第１の側方を閉じる壁（Ｃ１）を回転させるために停止させられると、作動するように前もって配置された第５の折曲げ手段（８１）と；前記第５の折曲げ手段（８１）に機能的に関連づけられ、前記第１の側方を閉じる壁（Ｃ１）が前記物品の前記第１の側面に向かって前記第５の折曲げ手段（８１）により折り曲げられる間に、前記第１の側方を閉じる壁（Ｃ１）の一部の上に接着剤を塗布するために前もって配置された接着剤塗布機構（８２）と；前記最終閉鎖ステーション（Ｓ５）の前記出口で、前記梱包された物品を内部に伴い、完全に閉じられた段ボール箱（ＳＣＡ）を提供するために、前記閉鎖タブ（ＡＣ）を前記上部の壁（ＰＳ）に付着させて、梱包された前記物品を内部に伴う前記段ボール箱（ＳＣＡ）の閉鎖を完了するために、前記第４の横方向折目線（Ｔ４）に対して前記閉鎖タブ（ＡＣ）を回転させて、前記接着剤が塗布された前記第１の側方を閉じる壁（Ｃ１）の前記上部に向かって前記上部の壁（ＰＳ）に対して前記閉鎖タブ（ＡＣ）を折り曲げるために作動する第６の折曲げ手段（８３）とを備える最終閉鎖ステーション（Ｓ５）と
を備えることを特徴とする機械（１００）。
【誤訳訂正２】
【訂正対象書類名】明細書
【訂正対象項目名】全文
【訂正方法】変更
【訂正の内容】
【発明の詳細な説明】
【発明の名称】段ボールブランクの上に載った物品を梱包するための段ボールブランクの折曲げステーションおよび段ボールブランクから得られた段ボール箱の内部で物品を包装するための機械
【技術分野】
【０００１】
本発明は、段ボール箱の内部で物品を包装および梱包することに関係する特定の技術分野に関する。
【０００２】
詳細には、本発明は、物品を中心に段ボールブランクを折り曲げるための折曲げステーション、および段ボールブランクから得られた段ボール箱の内部で物品の梱包を実現するための機械に関する。
【背景技術】
【０００３】
物流および商品発送の分野では、商品を保護し、守るために、発送すべき商品を関連する段ボール箱の中に梱包および包装する必要性は公知である。
【０００４】
本出願人は、衝撃に対して特殊な保護および耐久性を与えるために、物品を内部に梱包および包装するための強化壁を伴う段ボール箱を形成するために有用な、物品を包装するための特殊な段ボールブランクを実現し、さらにまた、梱包すべき物品の有効寸法に基づき段ボールシートから関連する段ボールブランクを得て、実現して、箱の内部で物品を包装するように物品を中心に物品を包むための、特殊な動作手順を提案した。本出願人は、物品の包装に利用可能な、包装用段ボールブランクの特殊な形状について記述している２０１５年５月１３日のイタリア特許出願第１０２０１５００００１４９０２号明細書の所要者である。
【０００５】
本特許出願の段ボールブランク（Ｃ）は、図１に示されており、梱包すべき物品を包むのに利用可能な強化壁を識別するように、他の部分の上に折り曲げることが可能な部分を備えるという特殊性を有する。
【０００６】
詳細には、段ボールブランク（Ｃ）は、２つの横方向縁部（Ｂ１、Ｂ２）および２つの縦方向縁部（ＢＬ）を有する、たとえば正方形、または好ましくは長方形とすることができる四辺形の形状を有し、第１の横方向縁部（Ｂ１）および第２の横方向縁部（Ｂ２）に、互いに平行な２つの縦方向折目線（Ｌ１、Ｌ２）を備え、２つの縦方向折目線（Ｌ１、Ｌ２）は、段ボールシート内に中央セクタ（ＳＣ）および２つの側方セクタ（ＳＬ１、ＳＬ２）を識別する。通常は、梱包して発送すべき物品は、四辺形または長方形の底部を伴う平行六面体の形状を有する容器を有する、またはそのような容器内に前もって配置される。
【０００７】
２つの縦方向折目線（Ｌ１、Ｌ２）は、梱包すべき物品の底部の有効寸法に基づき、たとえば、物品の底部の長さ（Ｌ）に基づき、互いに距離を置いて段ボールブランク（Ｃ）上に実現される。
【０００８】
段ボールブランク（Ｃ）は、段ボールブランク（Ｃ）の中央セクタ（ＳＣ）上に、かつ２つの横方向縁部（Ｂ１、Ｂ２）の間に、５つの部分（Ｐ１、Ｐ２、Ｐ３、Ｐ４、Ｐ５）を識別するような、互いに平行な４つの横方向折目線（Ｔ１、Ｔ２、Ｔ３、Ｔ４）をさらに備える。
【０００９】
４つの横方向折目線（Ｔ１、Ｔ２、Ｔ３、Ｔ４）は、梱包すべき物品の有効寸法の関数として、詳細には、物品の底部の幅（ｌ）、物品の上面の幅（Ｌ＊）、および物品の側面の高さ（Ｈ）に基づき、互いに距離を置くように作られる。
【００１０】
詳細には、段ボールブランク（Ｃ）の第１の横方向縁部（Ｂ１）から始まり、
−梱包すべき物品の底部の幅に対応する距離（ｌ）だけ互いに遠ざかるように、第１の横方向折目線（Ｔ１）および第２の横方向折目線（Ｔ２）が実現され、このようにして、段ボールブランク（Ｃ）の中央セクタ（ＳＣ）内で、梱包すべき物品の底部に対応する寸法を有する第１の部分（Ｐ１）が識別され、第１の部分（Ｐ１）上に、包装動作中に物品を載せることができ、
−第１の横方向折目線（Ｔ１）は、物品の第１の側方の側面の高さ（Ｈ）に対応するように、段ボールブランク（Ｃ）の第１の横方向縁部（Ｂ１）から距離を置いて実現され、そのようにして、段ボールブランク（Ｃ）の中央セクタ（ＳＣ）内に、第１の横方向縁部（Ｂ１）と第１の部分（Ｐ１）の間で、梱包すべき物品の第１の側方の側面に対応する寸法の第２の部分（Ｐ２）が識別され、第１の横方向折目線（Ｔ１）を中心に折り曲げられると、包装動作中に物品の第１の側面を覆うように定められ、
−第３の横方向折目線（Ｔ３）は、第１の側面に平行かつ対向して、物品の第２の側面の高さ（Ｈ）に対応する距離だけ第２の横方向折目線（Ｔ２）から遠ざかるように実現され、このようにして、段ボールブランク（Ｃ）の中央セクタ（ＳＣ）内で、第１の部分（Ｐ１）に隣接し第２の部分（Ｐ２）の反対側に、梱包すべき物品の第２の側方の側面に対応する寸法を有する第３の部分（Ｐ３）が画定され、第２の横方向折目線（Ｔ２）を中心に折り曲げられると、包装動作中に第２の側面を覆うように定められ、
−第４の横方向折目線（Ｔ４）は、梱包すべき物品の上面の幅（Ｌ＊）に対応する距離だけ第３の横方向折目線（Ｔ３）から遠ざかるように実現され、このようにして、段ボールブランク（Ｃ）の中央セクタ（ＳＣ）内で、第３の部分（Ｐ３）に隣接して、梱包すべき物品の上面に対応する距離を有する第４の部分（Ｐ４）が画定され、物品の第２の側面を覆うために、第３の部分（Ｐ３）が第２の横方向折目線（Ｔ２）を中心に折り曲げられ、かつ第４の部分（Ｐ４）が第３の横方向折目線（Ｔ３）を中心に折り曲げられると、上部の側面を覆うように定められる。
【００１１】
段ボールブランク（Ｃ）は、第２の部分（Ｐ２）が物品の第１の側面を包むように折り曲げられ、かつ第３の部分（Ｐ３）および第４の部分（Ｐ４）がそれぞれ物品の第２の側面および物品の上面を包むように折り曲げられると、この場合も中央セクタ（ＳＣ）内で、段ボールブランク（Ｃ）の第２の部分（Ｐ２）に接着するように定められた閉鎖／開放タブ（ＡＣ）を構成する、第４の横方向折目線（Ｔ４）によって中央セクタ（ＳＣ）にヒンジ結合された、第４の部分（Ｐ４）に隣接する第５の部分（Ｐ５）をさらに備える。
【００１２】
段ボールブランク（Ｃ）は、２つの側方セクタ（ＳＬ１、ＳＬ２）ごとに、２つの縦方向折目線（Ｌ１、Ｌ２）に到達するまで段ボールブランク（Ｃ）の縦方向縁部（ＢＬ）から伸長し、かつ４つの横方向折目線（Ｔ１、Ｔ２、Ｔ３、Ｔ４）の所に作られた、４つの横方向切れ目（Ｉ１、Ｉ２、Ｉ３、Ｉ４）をさらに備える。
【００１３】
このようにして、段ボールブランクの２つの側方セクタ（ＳＬ１、ＳＬ２）内で、段ボールブランク（Ｃ）は、
−段ボールブランク（Ｃ）の横方向縁部（Ｂ１）と第１の横方向折目線（Ｔ１）の所に作られた横方向切れ目（Ｉ１）との間で、第２の部分（Ｐ２）の第１の端部に第１の強化フラップ（Ｒ１）、および第２の部分（Ｐ２）の第２の端部に第２の強化フラップ（Ｒ２）と、
−第２の横方向折目線（Ｔ２）の所に実現された横方向切れ目（Ｉ２）と第３の横方向折目線（Ｔ３）の所に実現された第３の横方向切れ目（Ｉ３）との間で、第３の部分（Ｐ３）の第１の端部に第３の強化フラップ（Ｒ３）、および第３の部分（Ｐ３）の第２の端部に第４の強化フラップ（Ｒ４）と、
−第１の横方向折目線（Ｔ１）の所に実現された第１の横方向切れ目（Ｉ１）と第２の横方向折目線（Ｔ２）の所に実現された横方向切れ目（Ｉ２）との間で、第１の部分（Ｐ１）の第１の端部に第１の側方を包むフラップ（Ａ１）、および第１の部分（Ｐ１）の第２の端部に第２の側方を包むフラップ（Ａ２）と、
−第３の横方向折目線（Ｔ３）の所に作られた横方向切れ目（Ｉ３）と第４の横方向折目線（Ｔ４）の所に作られた横方向切れ目（Ｉ４）との間で、第４の部分（Ｐ４）の第１の端部にヒンジ結合された第５の強化フラップ（Ｒ５），および第４の部分（Ｐ４）の第２の端部に第６の強化フラップ（Ｒ６）と
を備える。
【００１４】
この特定の構成を用いて、段ボールブランク（Ｃ）は、内部に物品を包装する動作の前に、物品の対応する壁／側面を包むための強化壁を形成することができるようにする。実際に、第１の強化フラップ（Ｒ１）は、第１の縦方向折目線（Ｌ１）を中心に第２の部分（Ｐ２）の上に折り曲げることが可能であり、一方では今度は、第２の強化フラップ（Ｒ２）は、第１の強化フラップ（Ｒ１）の上に少なくとも一部は重なるように、第２の縦方向折目線（Ｌ２）を中心に第２の部分（Ｐ２）の上に折り曲げることができ、このようにして、第２の部分（Ｐ２）の上に折り曲げられ、少なくとも部分的に重なった第１の強化フラップ（Ｒ１）および第２の強化フラップ（Ｒ２）を伴う、段ボールブランクの中央セクタ（ＳＣ）の第２の部分（Ｐ２）は、梱包すべき物品の第１の側方の側面を覆うために第１の横方向折目線（Ｔ１）を中心に折り曲げることが可能な第１の側方を閉じる壁（Ｃ１）を構成する（たとえば、図１Ａ、図１Ｂを参照のこと）。
【００１５】
第３の強化フラップ（Ｒ３）は、第１の縦方向折目線（Ｌ１）を中心に第３の部分（Ｐ３）の上に折り曲げることが可能であり、一方では今度は、第４の強化フラップ（Ｒ４）は、第３の強化フラップ（Ｒ３）の上に少なくとも部分的に重なるように第２の縦方向折目線（Ｌ２）を中心に第３の部分（Ｐ３）の上に折り曲げることが可能であり、このようにして、第３の部分（Ｐ３）の上に折り曲げられ、かつ少なくとも部分的に重なった第３の強化フラップ（Ｒ３）および第４の強化フラップ（Ｒ４）を伴う、段ボールブランク（Ｃ）の中央セクタ（ＳＣ）の第３の部分（Ｐ３）は、梱包すべき物品の、第１の側面に対向する第２の側方の側面を覆うために第２の横方向折目線（Ｔ２）を中心に折り曲げることが可能な第２の側方を閉じる壁（Ｃ２）を構成する（たとえば、図１Ａ，図１Ｂ，図１Ｃを参照のこと）。
【００１６】
第５の強化フラップ（Ｒ５）は、第１の縦方向折目線（Ｌ１）を中心に第４の部分（Ｐ４）の上に折り曲げることが可能であり、一方では今度は、第６の強化フラップ（Ｒ６）は、第５の強化フラップ（Ｒ５）の上に少なくとも部分的に重なるように第２の縦方向折目線（Ｌ２）を中心に第４の部分（Ｐ４）の上に折り曲げることが可能であり、このようにして、第４の部分（Ｐ４）の上に折り曲げられ、かつ少なくとも部分的に重なった第５の強化フラップ（Ｒ５）および第６の強化フラップ（Ｒ６）を伴う、中央セクタ（ＳＣ）の第４の部分（Ｐ４）は、梱包すべき物品の上面を覆うために、第２の側方を閉じる壁（Ｃ２）が第２の側方の側面を覆うために第２の横方向折目線（Ｔ２）を中心に折り曲げられると、第３の横方向折目線（Ｔ３）を中心に折り曲げることが可能な上部を閉じる壁（ＰＳ）を構成する（たとえば図１Ａ，図１Ｆを参照のこと）。
【００１７】
第１の側方を包むフラップ（Ａ１）は、梱包すべき物品の第３の側方の側面を覆い、包むために有用なような方法で、梱包すべき物品の底部が置かれる第１の部分（Ｐ１）に対して高い位置を維持するために、第１の縦方向折目線（Ｌ１）を中心に折り曲げることが可能であり、一方では、第２の側方を包むフラップ（Ａ２）は、梱包すべき物品の、第３の側面に対向する第４の側面を覆い、包むために有用なような方法で、第１の部分（Ｐ１）に対して高い位置を維持するために、第２の縦方向折目線（Ｌ２）を中心に折り曲げることが可能である（たとえば、図１Ａ、図１Ｂを参照のこと）。
【００１８】
図１Ａ〜図１Ｅは、段ボールブランクの中央セクタ上に存在する関連部分の上方で強化フラップが折り曲げられると、段ボールブランクから始まり形成することができる箱の形状を示し、箱は、梱包すべき物品の底部、側方の側面、上部の壁の有効寸法に基づき寸法をとるように適合させられる。
【００１９】
詳細には、第１のフラップ（Ａ１）上で、２つの折曲げ線（ａ，ｂ）の間で、梱包すべき物品の第３の側方の側面の高さに対応する高さを有する第３の側方を閉じる壁（Ｃ３）が識別され、さらにまた、第３の側方を閉じる壁（Ｃ３）と第１の縦方向折目線（Ｌ１）の間で第１の折曲げタブ（ａ１）が識別され、第３の側方を閉じる壁（Ｃ３）と段ボールブランク（Ｃ）の縦方向縁部（ＢＬ）の間で第２の折曲げタブ（ａ２）が識別されるように、第１の側方を包むフラップ（Ａ１）は、距離を置いて実現された平行な１対の縦方向折曲げ線（ａ，ｂ）を備える。
【００２０】
第１の折曲げ線（ａ１）は、強化縁部を形成するように第１の縦方向折目線（Ｌ１）に対して回転させられると、第１の部分（Ｐ１）の一部の上に重なり、一方では、第２の折曲げタブ（ａ２）は、第３の側方を閉じる壁（Ｃ３）が物品の第３の側面を覆うために第１の折曲げタブ（ａ１）に対して折り曲げられると、物品の上面の部分を、上面が上部を閉じる壁（ＰＳ）により覆われる前に覆うために、第３の側方を閉じる壁（Ｃ３）に対して折り曲げられるように定められる。
【００２１】
それに応じて、第２のフラップ（Ａ２）上で、第３の側面に対向する、梱包すべき物品の第４の側方の側面の高さに対応する高さを有する第４の側方を閉じる壁（Ｃ４）が識別され、さらにまた、第４の側方を閉じる壁（Ｃ４）と第２の縦方向折目線（Ｌ２）の間で第３の折曲げタブ（ａ３）が識別され、第４の側方を閉じる壁（Ｃ４）と段ボールブランク（Ｃ）の第２の縦方向縁部（ＢＬ）の間で第４の折曲げタブ（ａ４）が識別されるように、第２の側方を包むフラップ（Ａ２）は、距離を置いて実現された平行な１組の縦方向折曲げ線（ｃ，ｄ）を備える。
【００２２】
第３の折曲げタブ（ａ３）は、強化縁部を形成するように第２の縦方向折目線（Ｌ２）に対して回転させられると、第１の部分（Ｐ１）の一部の上に重なり、一方では、第４の折曲げタブ（ａ４）は、第４の側方を閉じる壁（Ｃ４）が物品の第４の側面を覆うために第３の折曲げタブ（ａ３）に対して折り曲げられると、物品の上面の部分を、上面が上部を閉じる壁（ＰＳ）により覆われる前に覆うために、第４の側方を閉じる壁（Ｃ４）に対して折り曲げられるように定められる（図１Ｃ〜図１Ｆを参照のこと）。
【先行技術文献】
【特許文献】
【００２３】
【特許文献１】イタリア特許出願第１０２０１５００００１４９０２号明細書
【発明の概要】
【発明が解決しようとする課題】
【００２４】
本発明の目的は、図１Ａの段ボールブランクを、すなわち、強化壁を伴って前もって配置された段ボールブランクを、迅速かつ効果的な方法で物品の３つの側方の側面および上面を包んで覆うように、段ボールブランクの中央セクタの第１の部分の上に載るように配列された物品を中心に折り曲げるための折曲げステーションを提供することである。
【００２５】
詳細には、本発明の目的は、梱包すべき物品を部分的に包むように、第３および第４の側方を閉じる壁の回転および折曲げ、第２および第４の折曲げタブの回転および折曲げ、第２の側方を閉じる壁の回転および折曲げ、ならびに上部を閉じる壁の回転および折曲げを迅速かつ効率的に行うことができる折曲げステーションを提供することである。
【００２６】
より詳細には、本発明の目的は、前記で記述し、図１Ａに示す折曲げステーションなどの、入口で段ボールブランク（Ｃ）を受け入れる折曲げステーションを提供することであり、梱包すべき物品（Ｄ）は、その底部を段ボールブランク（Ｃ）の中央セクタ（ＳＣ）の第１の部分（Ｐ１）の上に載せて配列され、第１の側方の側面は、上流の第１の側方を閉じる壁（Ｃ１）の方を向き、第１の側面に対向する第２の側方の側面は、第２の側方を閉じる壁（Ｃ２）の方を向き、第１の側面および第２の側面を横断する第３の側方の側面は、第３の側方を閉じる壁（Ｃ３）の方を向き、第３の側面に対向する第４の側方の側面は、第４の側方を閉じる壁（Ｃ４）の方を向き、
−物品の第３の側方の側面を向き、覆うように第３の側方を閉じる壁（Ｃ３）を位置決めするように、第３の側方を閉じる壁（Ｃ３）を回転させること、および物品の上面の一部の上方に第３の側方を閉じる壁を配列するように、第３の側方を閉じる壁（Ｃ３）にヒンジ結合された第２の折曲げタブ（ａ２）を回転させること、
−物品の第４の側方の側面を向き、覆うように第４の側方を閉じる壁（Ｃ４）を位置決めするように、第４の側方を閉じる壁（Ｃ４）を回転させること、および物品の上面の一部の上方に第４の側方を閉じる壁を配列するように、第４の側方を閉じる壁（Ｃ４）にヒンジ結合された第４の折曲げタブ（ａ４）を回転させること、
−物品の第２の側方の側面を向き、覆うように第２の側方を閉じる壁（Ｃ２）を位置決めするように、第２の側方を閉じる壁（Ｃ２）を回転させること、
−および物品の上面の上方に上部を閉じる壁（ＰＳ）を配列し、かつ物品の上面を覆うように、上部を閉じる壁（ＰＳ）を回転させること
が実現される。
【課題を解決するための手段】
【００２７】
引用した目的は、請求項１に記載の折曲げステーションを用いて達成される。
【００２８】
本発明の目的はまたは、ファンフォールドの形で格納された段ボールの連続ストリップから始めて、梱包すべき物品の底部、側方の側面、および上部の壁の有効寸法に対応する寸法を有する、前記で記述し図１に示す段ボールブランクを得るための、ならびに段ボールブランクから得られた箱の内部で物品の包装を行うために必要な動作をすべて行うための機械を提供することである。
【００２９】
本発明の目的はまた、１時間あたり包装される物品の数に関して高い生産性を、１時間あたり最大１０００個の物品を包装することさえ保証することをめざして、非常に迅速かつ効率的に、段ボール箱の内部で物品の包装を完了するのに必要な動作すべてを行うことができる機械を提供することである。
【００３０】
この目的は、請求項１８に記載の前提部分に記述され、かつ請求項１の折曲げステーションを備えるような、段ボールブランクから得られる段ボール箱の内部で物品を梱包するための機械により達成される。
【００３１】
本発明の、段ボールブランク上に載るように配置された物品を中心に段ボールブランクを折り曲げるための折曲げステーション、および段ボールブランクから得られる段ボール箱の内部で物品を包装するための機械の、好ましい実施形態の特性について、添付の図面目録を参照して以下に記述する。
【図面の簡単な説明】
【００３２】
【図１】段ボールブランクから得られる段ボール箱の内側で物品を包装するように、本発明の機械により得られ処理される、本出願人および上述の特許出願の目的により考案された、本発明の前提部分で言及された段ボールブランクを透視図で示す。
【図１Ａ】同じく前述で言及され、図１の段ボールブランクにより得られる強化壁を有する段ボールブランクを透視図で示し、次に段ボールブランクの中央セクタ（ＳＣ）内に存在する、対応する部分の上方で強化フラップの折曲げが続き、物品が上に載って配列される、このタイプの段ボールブランクは、入口で受け入れられ、本発明の折曲げステーションにより処理される。
【図１Ｂ】物品を包装し、物品が内側に閉じられた状態で梱包するための段ボール箱を得ることが可能なように、本出願人により提出された上述の特許出願に記述された、図１の段ボールブランクの可能な折曲げステップを透視図により示す。
【図１Ｃ】物品を包装し、物品が内側に閉じられた状態で梱包するための段ボール箱を得ることが可能なように、本出願人により提出された上述の特許出願に記述された、図１の段ボールブランクの可能な折曲げステップを透視図により示す。
【図１Ｄ】物品を包装し、物品が内側に閉じられた状態で梱包するための段ボール箱を得ることが可能なように、本出願人により提出された上述の特許出願に記述された、図１の段ボールブランクの可能な折曲げステップを透視図により示す。
【図１Ｅ】物品を包装し、物品が内側に閉じられた状態で梱包するための段ボール箱を得ることが可能なように、本出願人により提出された上述の特許出願に記述された、図１の段ボールブランクの可能な折曲げステップを透視図により示す。
【図１Ｆ】物品を包装し、物品が内側に閉じられた状態で梱包するための段ボール箱を得ることが可能なように、本出願人により提出された上述の特許出願に記述された、図１の段ボールブランクの可能な折曲げステップを透視図により示す。
【図２Ａ】本発明の段ボールシートから得られる段ボール箱の内部で物品を梱包するための機械の全体配置図を上方からの概略図で示す。
【図２Ｂ】図２Ａの機械を側面図で示す。
【図２Ｃ】最初に、図１に示す段ボールブランクを得て、次いで、物品を中心に段ボールブランクを折り曲げて、物品が包装され、かつ内側に閉じられた、閉じた段ボール箱を得るために、ファンフォールドの形で含まれる段ボールの連続ストリップから切断された段ボールシートから始めて、本発明の包装機械が行う、いくつかの主要な動作の例示的実施形態を連続した画像で概略的に示す。
【図２Ｄ】本発明の機械の動作シーケンスを、連続した画像を用いて透視図で、きわめて概略的に示す。
【図３Ａ】部分的に包装された物品を内部に伴う箱を形成するために、物品を中心に段ボールブランクを折り曲げる、連続する動作ステップで、本発明の折曲げステーションを概略の透視図で示す。
【図３Ｂ】部分的に包装された物品を内部に伴う箱を形成するために、物品を中心に段ボールブランクを折り曲げる、連続する動作ステップで、本発明の折曲げステーションを概略の透視図で示す。
【図３Ｃ】部分的に包装された物品を内部に伴う箱を形成するために、物品を中心に段ボールブランクを折り曲げる、連続する動作ステップで、本発明の折曲げステーションを概略の透視図で示す。
【図３Ｄ】部分的に包装された物品を内部に伴う箱を形成するために、物品を中心に段ボールブランクを折り曲げる、連続する動作ステップで、本発明の折曲げステーションを概略の透視図で示す。
【図３Ｅ】部分的に包装された物品を内部に伴う箱を形成するために、物品を中心に段ボールブランクを折り曲げる、連続する動作ステップで、本発明の折曲げステーションを概略の透視図で示す。
【図３Ｆ】部分的に包装された物品を内部に伴う箱を形成するために、物品を中心に段ボールブランクを折り曲げる、連続する動作ステップで、本発明の折曲げステーションを概略の透視図で示す。
【図３Ｇ】部分的に包装された物品を内部に伴う箱を形成するために、物品を中心に段ボールブランクを折り曲げる、連続する動作ステップで、本発明の折曲げステーションを概略の透視図で示す。
【図３Ｈ】部分的に包装された物品を内部に伴う箱を形成するために、物品を中心に段ボールブランクを折り曲げる、連続する動作ステップで、本発明の折曲げステーションを概略の透視図で示す。
【図４Ａ】本発明の折曲げステーションのいくつかの重要な構成要素を、その可能な構成で、概略の透視図で示す。
【図４Ｂ】図４Ａの構成要素を、その可能な動作構成で、概略の透視図で示す。
【図４Ｃ】より明瞭にするために、折曲げステーションのいくつかの部分を取り除いて、図４Ａの構成要素を異なる角度から概略の透視図で示す。
【図４Ｄ】本発明の折曲げステーションの他の重要な構成要素を概略の透視図で示す。
【図４Ｅ】折曲げステーションのいくつかの部分を取り除かなければ図から隠される他の部分を明白に示すために、折曲げステーションのいくつかの部分を取り除いて、図４Ｄの構成要素を同じ概略の透視図で示す。
【発明を実施するための形態】
【００３３】
添付図面を参照すると、（Ｓ４）は、本発明の段ボールブランク上に載った物品を中心に段ボールブランクを折り曲げるための折曲げステーションを示し、その一方で、参照番号（１００）は、全体として段ボールシートから得られる段ボール箱の内部で物品を包装するための、さまざまな作業ステーションの中でも折曲げステーション（Ｓ４）を備える機械を示す。
【００３４】
本発明の折曲げステーション（Ｓ４）は、第１の部分（Ｐ１）を有する段ボールブランク（Ｃ）を受け入れるための入口（ＩＮ）と、第１の横方向折目線により第１の部分（Ｐ１）の第１の横方向側にヒンジ結合された第１の側方を閉じる壁（Ｃ１）と、第２の横方向折目線により第１の部分（Ｐ１）の、第１の側に対向する第２の横方向側にヒンジ結合された第２の側方を閉じる壁（Ｃ２）と、第３の横方向折目線により第２の側方を閉じる壁（Ｃ２）にヒンジ結合された上部を閉じる壁（ＰＳ）と、第１の部分（Ｐ１）の第１の縦方向側にヒンジ結合され、かつ縦方向折目線（ｂ）により第３の側方を閉じる壁（Ｃ３）にヒンジ結合された折曲げタブ（ａ２）を有する第３の側方を閉じる壁（Ｃ３）と、第１の部分（Ｐ１）の第２の縦方向側にヒンジ結合され、かつ縦方向折曲げ線（ｄ）により第４の側方を閉じる壁（Ｃ４）にヒンジ結合された折曲げタブ（ａ４）を有する第４の側方を閉じる壁（Ｃ４）とを備える。
【００３５】
折曲げステーション（Ｓ４）は、その入口（ＩＮ）で、図１Ａに詳細に示す段ボールブランクなどの段ボールブランク（Ｃ）を受け入れるためのものである。
【００３６】
折曲げステーション（Ｓ４）の入口（ＩＮ）は、第１の側方を閉じる壁（Ｃ１）が上流の方を向き、上部を閉じる壁（ＰＳ）が下流の方を向くように配列された段ボールブランク（Ｃ）を受け入れ、段ボールブランク（Ｃ）の内側に包装される物品（Ｄ）は、第１の部分（Ｐ１）の上に物品（Ｄ）の底面が載り、第１の側方の側面が上流の第１の側方を閉じる壁（Ｃ１）の方を向き、第１の側面に対向する第２の側方の側面が第２の側方を閉じる壁（Ｃ２）の方を向き、第１の側面および第２の側面を横断する第３の側方の側面が第３の側方を閉じる壁（Ｃ３）の方を向き、第３の側面に対向する第４の側方の側面が第４の側方を閉じる壁（Ｃ４）の方を向いて配列される。
【００３７】
折曲げステーション（Ｓ４）は、出口に、段ボールブランクにより構成され、かつ第２、第３、および第４の側方を閉じる壁、ならびに上部を閉じる壁を用いて物品を中心に部分的に折り曲げられた段ボール箱（ＳＣＡ）を提供するための出口（ＯＵＴ）と、前進方向（Ｖ）に従って入口（ＩＮ）から出口（ＯＵＴ）に段ボールブランクを運ぶために入口（ＩＮ）から出口（ＯＵＴ）に伸長するコンベヤ（４）、たとえばコンベヤベルトとをさらに備える。
【００３８】
コンベヤ（４）は、第１の部分（Ｐ１）がコンベヤ（４）の上に載り、第１の側方を閉じる壁（Ｃ１）が上流の方を向き、かつ第１の部分（Ｐ１）と同じ平面上に配列され、第２の側方を閉じる壁（Ｃ２）および上部を閉じる壁（ＰＳ）が下流の方を向き、かつ第１の部分（Ｐ１）と同じ平面上に配列され、第３の側方を閉じる壁（Ｃ３）および第４の側方を閉じる壁（Ｃ４）が第１の部分（Ｐ１）に対して部分的に高い位置にあり、かつコンベヤ（４）の両側から突出して配列された、梱包する段ボールブランク（Ｃ）を入口（ＩＮ）で受け入れるために前もって配置され、梱包すべき物品（Ｄ）は、物品の底面が第１の部分（Ｐ１）の上に載り、第１の側方の側面が上流の第１の側方を閉じる壁（Ｃ１）の方を向き、第１の側面に対向する第２の側方の側面が第２の側方を閉じる壁（Ｃ２）の方を向き、第１の側面および第２の側面を横断する第３の側方の側面が第３の側方を閉じる壁（Ｃ３）の方を向き、第３の側面に対向する第４の側方の側面が第４の側方を閉じる壁（Ｃ４）の方を向き、上面が上方を向いて配列される。
【００３９】
折曲げステーション（Ｓ４）は、入口（ＩＮ）と出口（ＯＵＴ）の間に、第１の折曲げゾーン（Ｚ１）と、第１の折曲げゾーン（Ｚ１）の下流に配列された第２の折曲げゾーン（Ｚ２）とを備え、コンベヤ（４）は、段ボールブランク（Ｃ）を移送するように前もって配置され、物品（Ｄ）は、その底面を第１の折曲げゾーン（Ｚ１）を通って第２の折曲げゾーン（Ｚ２）まで段ボールブランク（Ｃ）の第１の部分（Ｐ１）の上に載せる。
【００４０】
第１の折曲げゾーン（Ｚ１）は、コンベヤ（４）の第１の側のそばに配列された第１の折曲げ手段（７１）と、代わりにコンベヤ（４）の第２の側の側面のそば配列された第２の折曲げ手段（７２）とを備える。
【００４１】
第１の折曲げ手段（７１）は、コンベヤ（４）により第１の折曲げゾーン（Ｚ１）を通して段ボールブランク（Ｃ）を前進させる間、第３の側方を閉じる壁（Ｃ３）、および第３の側方を閉じる壁（Ｃ３）にヒンジ結合された折曲げタブ（ａ２）と当接するように前もって配置され、このために、同じくコンベヤ（４）により段ボールブランク（Ｃ）を前進させる間、物品（Ｄ）を覆うように、物品（Ｄ）の第３の側方の側面の方を向く位置に第３の側方を閉じる壁（Ｃ３）を持って行くまで、物品（Ｄ）が置かれた第１の部分（Ｐ１）に対して第３の側方を閉じる壁（Ｃ３）を回転させるように、および折曲げタブ（ａ２）が第３の側方を閉じる壁（Ｃ３）にヒンジ結合された縦方向折曲げ線（ｂ）を中心に折曲げタブ（ａ２）を回転させて、物品（Ｄ）の上面の一部の上方に折曲げタブ（ａ２）を配列するまで、第３の側方を閉じる壁（Ｃ３）に対して折曲げタブ（ａ２）を折り曲げるように構成される。
【００４２】
第２の折曲げ手段（７２）は、コンベヤ（４）により第１の折曲げゾーン（Ｚ１）を通して段ボールブランク（Ｃ）を前進させる間、第４の側方を閉じる壁（Ｃ４）、および第４の側方を閉じる壁（Ｃ４）にヒンジ結合された折曲げタブ（ａ４）と当接するように前もって配置され、同じくコンベヤ（４）により段ボールブランク（Ｃ）を前進させる間、物品（Ｄ）を覆うように、物品（Ｄ）の第４の側方の側面の方を向く位置に第４の側方を閉じる壁（Ｃ４）を持って行くまで、物品（Ｄ）が置かれた第１の部分（Ｐ１）に対して第４の側方を閉じる壁（Ｃ４）を回転させるように、および折曲げタブ（ａ４）が第４の側方を閉じる壁（Ｃ４）にヒンジ結合された縦方向折曲げ線（ｄ）を中心に折曲げタブ（ａ４）を回転させて、物品（Ｄ）の上面の一部の上方に折曲げタブ（ａ４）を配列するまで、第４の側方を閉じる壁（Ｃ４）に対して折曲げタブ（ａ４）を折り曲げるように構成される。
【００４３】
たとえば、上述の折曲げステップを示す図３Ａ、図３Ｂ，および図３Ｃを参照のこと。
【００４４】
第２の折曲げゾーン（Ｚ２）は、物品（Ｄ）を覆い、同時に、第２の側方を閉じる壁（Ｃ２）にヒンジ結合された上部を閉じる壁（ＰＳ）を、段ボールブランク（Ｃ）の第１の部分（Ｐ１）の上に載せて置かれた物品（Ｄ）の上面に対して高い位置に持って行くように、物品（Ｄ）の第２の側方の側面の方を向く位置まで、第１の部分（Ｐ１）に対して第２の側方を閉じる壁（Ｃ２）を折り曲げるように、少なくとも第２の側方を閉じる壁（Ｃ２）に当接し、かつ第１の部分（Ｐ１）に対して第２の側方を閉じる壁（Ｃ２）を回転させるように、コンベヤ（４）が段ボールブランク（Ｃ）を第２の折曲げゾーン（Ｚ２）に持って行くとき、コンベヤ（４）の横断軸を中心に回転することができ、かつ横断軸を中心に回転状態で作動可能なように、少なくともコンベヤ（４）の片側の側面のそばに前もって配置された第３の折曲げ手段（７５）を備える（これに関しては、図３Ｄ、図３Ｅ、および図３Ｆを参照のこと）。
【００４５】
第２の折曲げゾーン（Ｚ２）はまた、上部を閉じる壁（ＰＳ）の位置に対応する高さに位置決め可能なように、コンベヤ（４）に対して低くする、または高くすることができるように、コンベヤ（４）の上方に前もって配置された第４の折曲げ手段（７６）を備え、さらに、第４の折曲げ手段（７６）は、物品（Ｄ）を覆うように物品（Ｄ）の上面の上方で事前に折り曲げられた２つの折曲げタブ（ａ２、ａ４）の上方かつ上面の上方に配列されるように、上部を閉じる壁（ＰＳ）を物品（Ｄ）の上面の方を向く、その上方の位置に持って行くまで、第２の側方を閉じる壁（Ｃ２）に対して上部を閉じる壁（ＰＳ）を折り曲げるように、上部を閉じる壁（ＰＳ）に当接して、第２の側方を閉じる壁（Ｃ２）に対して上部を閉じる壁（ＰＳ）を回転させ、その結果、包装された物品を内部に伴い、部分的に閉じられた段ボール箱（ＳＣＡ）を得るように、コンベヤ（４）に平行な方向に平行移動可能なように前もって配置される（これに関しては、図３Ｆ、図３Ｇ、および図３Ｈを参照のこと）。
【００４６】
これらの特性用いて、本発明が提案する折曲げステーション（Ｓ４）は、物品を中心に段ボールブランクを迅速かつ効果的に部分的に包むことができ、部分的に閉じられ、かつ物品（Ｄ）が内部に包装された段ボール箱（ＳＣＡ）を形成し、段ボール箱（ＳＣＡ）では、４つの側方の壁のうち３つが物品の側方の側面を覆い、上部の壁が物品の上面を覆い、物品の底面が箱（ＳＣＡ）の底面を構成する第１の部分（Ｐ１）の上に載る。
【００４７】
したがって、箱（ＳＣＡ）は、箱（ＳＣＡ）の閉鎖を完了するように折り曲げられたままの、第１の側方を閉じる壁（Ｃ１）である１つの側方の壁だけを有する。
【００４８】
さらに、第４の折曲げ手段（７６）は、関連する折曲げ動作のために作動される前に、コンベヤ（４）に対して下がる、または持ち上がることができるように前もって配置されるという事実により、第４の折曲げ手段（７６）の、コンベヤに対する位置および高さは、物品の有効寸法に基づき、詳細には物品の高さに基づき、すなわち、コンベヤ（４）の水準に対する上部を閉じる壁（ＰＳ）の有効位置および高さに基づき調節することができる。
【００４９】
本発明が提案する折曲げステーション（Ｓ４）の他の有利で好ましい特性について、以下に記述する。
【００５０】
第１の折曲げ手段（７１）は、コンベヤ（４）の第１の側の側面のそばに配置されたプッシャ（１１）と、湾曲した頭部（１２１）、およびコンベヤ（４）に向かって傾いたまっすぐな本体（１２２）を有する折曲げロッド（１２）とを備える（たとえば、図４Ａ〜図４Ｃを参照のこと）。
【００５１】
プッシャ（１１）は、段ボールブランク（Ｃ）の第３の側方を閉じる壁（Ｃ３）に当接し、かつ物品（Ｄ）を覆うように物品（Ｄ）の第３の側方の側面の方を向く位置に第３の側方を閉じる壁（Ｃ３）を持って行くように、第１の部分（Ｐ１）に対して第３の側方を閉じる壁（Ｃ３）を回転させるために、低い位置と高い位置の間で移動可能なように前もって配置される（たとえば、図３Ａを参照のこと）。
【００５２】
折曲げロッド（１２）は、コンベヤ（４）により第１の折曲げゾーン（Ｚ１）を通して段ボールブランク（Ｃ）を前進させる間、湾曲した頭部（１２１）が第３の側方を閉じる壁（Ｃ３）にヒンジ結合された折曲げタブ（ａ２）に当接し、第３の側方を閉じる壁（Ｃ３）に対して折曲げタブ（ａ２）を回転させ、一方では、傾いたまっすぐな本体（１２２）がタブ（ａ２）に当接し、タブ（ａ２）を回転させて、タブ（ａ２）を下方に押しつけて、物品（Ｄ）の上面の上方で折れ曲がるように前もって配置される（図３Ａ〜図３Ｃを参照のこと）。
【００５３】
次に、第２の折曲げ手段（７２）は、コンベヤ（４）の第２の側の側面のそばに配置されたプッシャ（２１）と、湾曲した頭部（２２１）、およびコンベヤ（４）に向かって傾いたまっすぐな本体（２２２）を有する折曲げロッド（２２）とを備える（たとえば、図４Ｃで見ることができる）。
【００５４】
プッシャ（２１）は、段ボールブランク（Ｃ）の第４の側方を閉じる壁（Ｃ４）に当接し、かつ物品（Ｄ）を覆うように物品（Ｄ）の第４の側方の側面の方を向く位置に第４の側方を閉じる壁（Ｃ４）を持って行くように、第１の部分（Ｐ１）に対して第４の側方を閉じる壁（Ｃ４）を回転させるために、低い位置（図３Ｃで見ることができる）と高い位置（物品により、および物品を中心に折り曲げられた段ボールブランクにより覆われるので、添付図面では見ることができない）の間で移動可能なように前もって配置される。
【００５５】
折曲げロッド（２２）は、コンベヤ（４）により第１の折曲げゾーン（Ｚ１）を通して段ボールブランク（Ｃ）を前進させる間、湾曲した頭部（２２１）が第４の側方を閉じる壁（Ｃ４）にヒンジ結合された折曲げタブ（ａ４）に当接し、第４の側方を閉じる壁（Ｃ４）に対して折曲げタブ（ａ４）を回転させ、一方では、傾いたまっすぐな本体（２２２）がタブ（ａ４）に当接し、タブ（ａ４）を回転させ、タブ（ａ４）を下方に押しつけて、物品（Ｄ）の上面の上で折れ曲がるように前もって配置される。
【００５６】
本発明の折曲げステーション（Ｓ４）の特に有利な様態は、第１の折曲げ手段（７１）の折曲げロッド（１２）および第２の折曲げ手段（７２）の折曲げロッド（２２）が、段ボールブランク（Ｃ）の実際の寸法、ならびに第３の側方を閉じる壁（Ｃ３）および第４の側方を閉じる壁（Ｃ４）の実際の位置に基づき折曲げロッド（１２、２２）の相互位置を調節するように、相互に近づくことができる、または相互に遠ざかることができるように前もって配置され、さらに、第３の側方を閉じる壁（Ｃ３）および第４の側方を閉じる壁（Ｃ４）の実際の高さに基づき、コンベヤ（４）に対して折曲げロッド（１２、２２）の高さを調節するように、コンベヤ（４）に対して持ち上げることができる、または下げることができるように前もって配置されるという事実にある。
【００５７】
このようにして、梱包すべき物品の有効寸法に、したがってさらにまた物品が載る段ボールブランクの関連寸法に基づき、コンベヤ（４）が第１の折曲げゾーン（Ｚ１）を通して物品を伴う段ボールブランクを前進させる前に、第３の側方を閉じる壁（Ｃ３）および第４の側方を閉じる壁（Ｃ４）の有効位置および有効寸法に対して２つの折曲げロッドの位置を調節するように、２つの折曲げロッド間の相互距離だけではなく、コンベヤに対する２つの折曲げロッドの高さも調節することが可能である。
【００５８】
たとえば、互いからの所与の相互距離で、およびコンベヤに対する所与の高さで、２つの折曲げロッドの可能な構成および相互構成を示す図４Ａ，ならびに互いにより近く、コンベヤに対してより高い位置にある２つの折曲げロッドの異なる可能な構成および相互構成を示す図４Ｂを参照のこと。
【００５９】
詳細には、添付図面に示す好ましい実施形態では、折曲げステーション（Ｓ４）は、第１の折曲げゾーン（Ｚ１）でコンベヤ（４）の上方に前もって配置された第１のフレーム（Ｔ１）と、第１のフレーム（Ｔ１）に対して垂直にスライド可能なように第１のフレーム（Ｔ１）の上に搭載された第２のフレーム（Ｔ２）とを備え、第１の折曲げ手段（７１）の折曲げロッド（１２）および第２の折曲げ手段（７２）の折曲げロッド（２２）は、第２のフレーム（Ｔ２）により担持されるように前もって配置され、コンベヤを横断する方向に従って第２のフレーム（Ｔ２）に対して平行移動可能なように、第２のフレーム（Ｔ２）に対して平行移動可能なように前もって配置される。
【００６０】
より詳細には、たとえば図４Ａ〜図４Ｃではっきりと見ることができるように、折曲げステーション（Ｓ４）は、コンベヤ（４）を横断して第２のフレーム（Ｔ２）上に前もって配置された第１の水平スライドガイド（５）を備え、第１の折曲げ手段（７１）の折曲げロッド（１２）および第２の折曲げ手段（７２）の折曲げロッド（２２）は、第１の水平スライドガイド（５）上に前もって配置され、かつスライド可能に連結されたキャリッジ（１５）上に搭載され、かつキャリッジ（１５）により担持される。
【００６１】
第１のフレーム（Ｔ１）に対して第２のフレーム（Ｔ２）を垂直移動するための第１の移動手段（１６）もまた含まれ、第１の移動手段（１６）は、コンベヤ（４）に対して折曲げロッド（１２、２２）の高さを調節して、第３の側方を閉じる壁（Ｃ３）および第４の側方を閉じる壁（Ｃ４）の実際の高さに対して折曲げロッド（１２、２２）の位置を調節するように、第１のフレーム（Ｔ１）に対して第２のフレーム（Ｔ２）を持ち上げる、または下げるために前もって配置される。
【００６２】
移動手段（１６）は、たとえば好ましくは、可能であるが限定しない実施形態では、第１のフレーム（Ｔ１）上に前もって配置され、かつ第２のフレーム（Ｔ２）がスライド可能に搭載された垂直ガイド（１６１）と、移動手段（１６）の２つの端部で垂直に配列されて、第２のフレーム（Ｔ２）の対向する側に拘束され、かつ第１のフレーム（Ｔ１）上に前もって配置された滑車（１６３）に部分的に巻かれたベルトの分岐（１６２）と、２つの反対の回転方向に従って滑車（１６３）を回転状態で作動するための動力機構（１６４）とを備えることができる。
【００６３】
折曲げステーション（Ｓ４）は、段ボールブランク（Ｃ）の実際の寸法、ならびにコンベヤ（４）に対する第３の側方を閉じる壁（Ｃ３）および第４の側方を閉じる壁（Ｃ４）の有効位置に基づき、キャリッジ（１５）の相互位置を調節および加減するように、折曲げロッド（１２、２２）に互いに近づく、またはそこから互いに遠ざかることができるように、キャリッジ（１５）に互いに相互に近づく、またはそこから互いに遠ざかるように、第１の水平スライドガイド（５）に沿ってキャリッジ（１５）を平行移動させるために前もって配置された、第２のフレーム（Ｔ２）の第１の水平スライドガイド（５）に沿って、キャリッジ（１５）を動かすための第２の移動手段（１７）をさらに備える。
【００６４】
たとえば、図（たとえば、図４Ａ〜図４Ｃを参照のこと）で実現される、可能であるが限定しない実施形態では、第２の移動手段（１７）は、コンベヤ（４）の水平方向かつ横断方向に配列され、かつ第２のフレーム（Ｔ２）により担持され、かつ少なくとも一方の滑車が関連動力機構（１７２）により２つの反対の回転方向に回転状態で作動可能な垂直回転軸を伴って配列された関連滑車（１７３）（これらのうち一方だけを見ることができる）に巻き付いた、ループ状に巻かれたベルト（１７１）と；ループ状に巻かれたベルト（１７１）の第１の分岐に束縛された第１の折曲げ手段（７１）の折曲げロッド（１２）を担持し、ループ状に巻かれたベルト（１７１）の対向する第２の分岐に束縛された第２の折曲げ手段（７２）の折曲げロッド（２２）を担持するキャリッジ（１５）とを備える。
【００６５】
折曲げステーション（Ｓ４）は、第２の折曲げゾーン（Ｚ２）内に、第２の折曲げゾーン（Ｚ２）で段ボールブランク（Ｃ）を妨害して、第２の側方を閉じる壁（Ｃ２）を折り曲げるための第３の折曲げ手段（７５）の作動、および上部を閉じる壁（ＰＳ）を折り曲げるための第４の折曲げ手段（７６）の作動を可能にするように前もって配置された妨害手段（７４）をさらに備える。
【００６６】
詳細には、図に示す好ましい実施形態によれば、妨害手段（７４）は、第３の側方を閉じる壁（Ｃ３）および第４の側方を閉じる壁（Ｃ４）に当接して、段ボールブランク（Ｃ）を妨害するように、広がった構成と近づいた構成の間で回転可能なように、コンベヤ（４）に平行な軸を中心にそれぞれ回転可能なようにそれぞれ前もって配置された、コンベヤ（４）の両側に配列された１対の顎部（４７）を備える（１対の顎部（４７）の顎部が、広がった構成にある図３Ａ〜図３Ｃ、および図３Ｈ、ならびに顎部（４７）が、段ボールブランクを妨害するために近づいた位置にある図３Ｄ〜図３Ｇを参照のこと）。
【００６７】
さらに、別の有利な様態では、１対の顎部（４７）は、段ボールブランク（Ｃ）の実際の寸法、および第３の側方を閉じる壁（Ｃ３）と第４の側方を閉じる壁（Ｃ４）の間の実際の距離に対して互いの距離を調節するように、相互に近づくことができる、または遠ざかることができるように前もって配置される。
【００６８】
たとえば、図４Ｅに示す好ましい実施形態では、顎部（４７）は、段ボールブランク（Ｃ）の有効寸法まで位置および距離を規制するために、顎部（４７）の位置および相互距離を調節することができるように、キャリッジを（４７４）を、したがって顎部（４７）を担持する支持物（４７０）を相互に近づける、または遠ざけるように、２つの可能な平行移動方向にベルトを動かすために、コンベヤ（４）の下方を横断して配列され、かつ動力機構（４７３）により２つの回転方向で関連する回転軸が垂直方向に回転状態で作動可能なように配列された関連滑車（４７２）に巻かれた、ループ状に巻かれたベルト（４７１）の２つの反対方向の分岐で、コンベヤ（４）の下方で水平方向に横断するスライドレール（４７５）上でスライド可能に搭載されたキャリッジ（４７４）により束縛された関連支持物（４７０）により担持される。
【００６９】
顎部（４７）は、コンベヤに平行なヒンジ軸に従って、たとえば空気圧式または水圧式のピストンなどの関連アクチュエータ機構（４７６）を用いてヒンジ軸を中心に回転状態で作動可能な支持物にヒンジ結合される。
【００７０】
第２の折曲げゾーン（Ｚ２）内に提供された第３の折曲げ手段（７５）は、コンベヤ（４）の水準に最大限でも等しい水準の水平位置にある（たとえば、図３Ａ〜図３Ｄを参照のこと）低い位置から高い位置まで回転状態で作動可能なように、コンベヤ（４）を横断する回転軸を中心に回転状態で作動可能なように、コンベヤ（４）の両側に配列された１対の押さえ面（５７）を備え、１対の押さえ面（５７）は、物品（Ｄ）を覆い、同時に第２の側方を閉じる壁（Ｃ２）にヒンジ結合された上部を閉じる壁（ＰＳ）を段ボールブランク（Ｃ）の第１の部分（Ｐ１）に載せて置かれた物品（Ｄ）の上面に対して高い位置に持って行くように、物品（Ｄ）の第２の側方の側面の方を向く位置まで第１の部分（Ｐ１）に対して第２の側方を閉じる壁（Ｃ２）を折り曲げるように、第２の側方を閉じる壁（Ｃ２）に当接して、物品（Ｄ）が載った段ボールブランク（Ｃ）の第１の部分（Ｐ１）に対して第２の側方を閉じる壁（Ｃ２）を回転させることができるように、垂直な位置にある（たとえば、図３Ｅおよび図３Ｆを参照のこと）。
【００７１】
図４Ｅに示す好ましい実施形態では、押さえ面（５７）は、コンベヤの下方を横断して配列され、かつたとえば空気圧式または水圧式のピストンなどのアクチュエータ機構（５７２）により回転状態で作動可能な共通軸（５７１）上に搭載される。
【００７２】
第２の折曲げゾーン（Ｚ２）内に提供された、上述の第４の折曲げ手段（７６）は、コンベヤ（４）の両側の上方に配列され、関連する水平の、コンベヤ（４）を横断する回転軸を中心に使用されない状態で搭載された少なくとも車輪ペア（６７）を備える。
【００７３】
車輪ペア（６７）の車輪（６７）は、段ボールブランク（Ｃ）の実際の寸法、ならびに上部を閉じる壁（ＰＳ）の実際の寸法および幅に基づき、コンベヤ（４）に対して車輪（６７）の位置を調節するように、互いに対して近づける、または遠ざけるような方法で前もって配置され、さらにまた、上部を閉じる壁（ＰＳ）の位置に対応する高さで位置決め可能なように、コンベヤ（４）に対して下げる、または持ち上げるような方法で前もって配置される（図３Ｆ）。
【００７４】
さらに、車輪ペア（６７）の車輪（６７）は、物品（Ｄ）の上面の上方で折り曲げられた２つの折曲げタブ（ａ２，ａ４）の上方かつ物品（Ｄ）を覆うように上面の上方に、上部を閉じる壁（ＰＳ）が配列されるように、物品（Ｄ）の上面の方を向く、物品（Ｄ）の上面の上方の位置に上部を閉じる壁（ＰＳ）を持って行くまで、第２の側方を閉じる壁（Ｃ２）に対して上部を閉じる壁（ＰＳ）を折り曲げるように、上部を閉じる壁（ＰＳ）に当接して、第２の側方を閉じる壁（Ｃ２）に対して上部を閉じる壁（ＰＳ）を回転させるように、コンベヤ（４）に平行な方向に平行移動可能なように前もって配置される（図３Ｇおよび図３Ｈを参照のこと）。
【００７５】
これに関しては、折曲げステーション（Ｓ４）は、第２の折曲げゾーン（Ｚ２）でコンベヤ（４）の上方に前もって配置された第３のフレーム（Ｔ３）と、第３のフレーム（Ｔ３）に対して垂直にスライド可能なように第３のフレーム（Ｔ３）上に搭載された第４のフレーム（Ｔ４）とを備え、車輪ペア（６７）の車輪（６７）は、第４のフレーム（Ｔ４）により担持されて、第４のフレーム（Ｔ４）に対して平行移動可能なように前もって配置され、またコンベヤ（４）を横断する方向に従って第４のフレーム（Ｔ４）に対して平行移動可能なように前もって配置される。
【００７６】
詳細には、添付図面に示す好ましい実施形態では、折曲げステーション（Ｓ４）は、コンベヤ（４）を横断して第４のフレーム（Ｔ４）上に前もって配置された第２の水平スライドガイド（５８）を備え、一方では、車輪ペア（６７）の車輪（６７）は、第４のフレーム（Ｔ４）上に提供された第２の水平スライドガイド（５８）上に前もって配置され、かつスライド可能に連結されたキャリッジ（６９）により束縛され、担持される、関連する直立部分（６８）により搭載され、担持される。
【００７７】
コンベヤ（４）に平行な直立部分（６８）上に前もって配置された第３の水平スライドガイド（５９）がさらに備えられ、車輪ペア（６７）の車輪（６７）の回転軸は、第３の水平スライドガイド（５９）上にスライド可能に搭載されたキャリッジ（６４）により担持される。
【００７８】
折曲げステーション（Ｓ４）は、コンベヤ（４）に対して車輪ペア（６７）の車輪（６７）の高さを調節し、かつ上部を閉じる壁（ＰＳ）の実際の高さに車輪ペア（６７）の車輪（６７）の位置を調節するように、第３のフレーム（Ｔ３）に対して第４のフレーム（Ｔ４）を持ち上げる、または下げるように前もって配置された、第３のフレーム（Ｔ３）に対して第４のフレーム（Ｔ４）を垂直に動かすための第３の移動手段（３６）をさらに備える。
【００７９】
たとえば、移動手段（３６）は、可能であるが限定しない実施形態では、第３のフレーム（Ｔ３）上に前もって配置され、かつ第４のフレーム（Ｔ４）がスライド可能に搭載される垂直ガイド（３６１）と、移動手段（３６）の２つの端部で垂直方向に配列され、かつ第４のフレーム（Ｔ４）の反対側に束縛され、かつ第３のフレーム（Ｔ３）上に前もって配置された滑車（３６３）に部分的に巻かれたベルトの分岐（３６２）と、２つの反対の回転方向で滑車が回転する状態で作動させるための動力機構（３６４）とを備えることができる。
【００８０】
折曲げステーション（Ｓ４）は、段ボールブランク（Ｃ）の実際の寸法、および上部を閉じる壁（ＰＳ）の有効幅に基づき、車輪（６７）の位置を調節および規制する目的で、互いに車輪（６７）を担持する直立部分（６８）を近づける、または遠ざけることができるように、キャリッジ（６９）を互いに近づける、または遠ざけるように、第２の水平スライドガイド（５８）に沿ってキャリッジ（６９）を平行移動するために前もって配置された、第３のフレーム（Ｔ３）の第２の水平スライドガイド（５８）に沿ってキャリッジ（６９）を動かすための第４の移動手段（３７）をさらに備える。
【００８１】
また、物品（Ｄ）の上面の上方で折り曲げられた２つの折曲げタブ（ａ２、ａ４）の上方かつ物品（Ｄ）を覆うように上面の上方に配列されるように、物品（Ｄ）の上面の方を向き、かつ物品（Ｄ）の上面の上方の位置に、上部を閉じる壁（ＰＳ）を持って行くまで、第２の側方を閉じる壁（Ｃ２）に対して上部を閉じる壁（ＰＳ）を折り曲げるように、第２の側方を閉じる壁（Ｃ２）に対して上部を閉じる壁（ＰＳ）を回転させるように、上部を閉じる壁（ＰＳ）に車輪が当接するように、コンベヤ（４）に平行に、上部を閉じる壁（ＰＳ）に向かって車輪（６７）を平行移動するように、コンベヤ（４）に平行に、直立部分（６８）の上に前もって配置された第３の水平スライドガイド（５９）に沿って、キャリッジ（６４）を水平移動させるための第５の移動手段（３９）が提供される。
【００８２】
第４の移動手段（３７）は、たとえば、図に示す、好ましいが排他的ではない実施形態では、コンベヤ（４）に水平に横断して配列され、かつ第４のフレーム（Ｔ４）により担持され、かつ少なくとも１つの滑車が関連動力機構（３７２）により２つの反対の回転方向で回転状態で作動可能な関連する垂直回転軸を伴って配列された関連滑車（３７３）（一方だけを図で見ることができる）に巻かれた、ループ状に巻かれたベルト（３７１）を備えることができ、キャリッジ（６９）は、第４の折曲げ手段（７６）の車輪ペア（６７）の第１の車輪（６７）が前もって配置され、かつループ状に巻かれたベルト（３７１）の第１の分岐に束縛された、直立部分（６８）の第１の直立部分（６８）を担持し、キャリッジ（６９）は、車輪ペア（６７）の第２の車輪（６７）が前もって配置され、かつループ状に巻かれたベルト（３７１）の第２の分岐に束縛された、直立部分（６８）の第２の直立部分（６８）を担持する。
【００８３】
コンベヤ（４）に平行に、直立部分（６８）上に前もって配置された、第３の水平スライドガイド（５９）に沿ってキャリッジ（６４）を水平移動させるための第５の移動手段（３９）は、空気圧式または水圧式のピストン（３９０）を備える。
【００８４】
本発明の折曲げステーションの他のより詳しい様態は、以下の通りである。
【００８５】
本発明の折曲げステーションは、第１の折曲げゾーン（Ｚ１）と第２の折曲げゾーン（Ｚ２）の間に配列された折曲げ維持手段（１８）を備え、折曲げ維持手段（１８）は、第３の側方を閉じる壁（Ｃ３）および第４の側方を閉じる壁（Ｃ４）を、物品（Ｄ）の第３の側方の側面および第４の側方の側面の方を向く折り曲げられた位置に維持するために、第３の側方を閉じる壁（Ｃ３）および第４の側方を閉じる壁（Ｃ４）に当接するように、およびコンベヤ（４）により第１の折曲げゾーン（Ｚ１）から第２の折曲げゾーン（Ｚ２）に、上部を閉じる壁（ＰＳ）が折り曲げられ、かつ物品（Ｄ）の上面の上に前もって配置されるときまで段ボールブランク（Ｃ）を移す間、上面に向かって２つの折曲げタブ（ａ２、ａ４）を折り曲げられたままに維持するように物品（Ｄ）の上面の上に折り曲げられた２つの折曲げタブ（ａ２、ａ４）に当接するように、前もって配置され、構成される。
【００８６】
折曲げ維持手段（１８）は、コンベヤ（４）に対して折曲げ維持手段（１８）の外部で折曲げ手段（７１）の折曲げロッド（１２）の側面のそばに配列され、かつコンベヤ（４）により第１の折曲げゾーン（Ｚ１）から第２の折曲げゾーン（Ｚ２）まで段ボールブランク（Ｃ）を移す間、物品（Ｄ）の第３の側方の側面に向かって押しつけられたままの状態に第３の側方を閉じる壁（Ｃ３）を維持するように、第３の側方を閉じる壁（Ｃ３）と外部で接触するように、第２のフレーム（Ｔ２）の第１の水平スライドガイド（５）上でスライド可能に連結されたキャリッジ（１５）に担持され、束縛されるように前もって配置された第１の水平バー（１８１）と；コンベヤ（４）に対して折曲げ維持手段（１８）の外部で、第２の折曲げ手段（７２）の折曲げロッド（２２）の側面のそばに配列され、かつコンベヤ（４）により第１の折曲げゾーン（Ｚ１）から第２の折曲げゾーン（Ｚ２）まで段ボールブランク（Ｃ）を移す間、物品（Ｄ）の第４の側方の側面に向かって押しつけられたままの状態に第４の側方を閉じる壁（Ｃ４）を維持するために、第４の側方を閉じる壁（Ｃ４）と外部で接触するように、同じくキャリッジ（１５）に担持され、束縛されるように前もって配置された第２の水平バー（１８２）とを備える（たとえば、図３Ｄ〜図３Ｆを参照のこと）。
【００８７】
折曲げ維持手段（１８）は、コンベヤ（４）により第１の折曲げゾーン（Ｚ１）から第２の折曲げゾーン（Ｚ２）まで段ボールブランク（Ｃ）を移す間、物品（Ｄ）の上面で折り曲げられた２つの折曲げタブ（ａ２、ａ４）に当接して、この上面に向かって押しつけられたままの状態に２つの折曲げタブ（ａ２、ａ４）を維持することができるような位置に位置決めされるように、第２のフレーム（Ｔ２）上に搭載された水平スライドガイド（５）上でスライド可能なキャリッジ（１５）に担持され、束縛されるように、第１の水平バー（１８１）と第２の水平バー（１８２）の間に前もって配置された１対のリブ（１９）をさらに備える。
【００８８】
折曲げステーション（Ｓ４）は、キャリッジ（１５）により２つの折曲げロッド（１２、２２）の内部の位置に持って行かれるように、かつ２つの折曲げタブ（ａ２、ａ４）を折り曲げるための当接部を構成するように物品（Ｄ）の上面の上方に位置決めされるように前もって配置された１対の当接板（９９）を第１の折曲げゾーン（Ｚ１）に具備する。
【００８９】
最後に、折曲げステーションは、第１の折曲げゾーン（Ｚ１）と第２の折曲げゾーン（Ｚ２）の間に前もって配置され、かつ物品（Ｄ）の上面の上で第３の側方を閉じる壁（Ｃ３）に対して折り曲げられた折曲げタブ（ａ２）に接着剤を塗布するように、かつ物品（Ｄ）の上面の上で第４の側方を閉じる壁（Ｃ４）に対して折り曲げられた折曲げタブ（ａ４）に接着剤を塗布するように構成された接着剤塗布手段（７３）を備える。
【００９０】
接着剤塗布手段（７３）は、コンベヤ（４）により第１の折曲げゾーン（Ｚ１）から第２の折曲げゾーン（Ｚ２）に段ボールブランク（Ｃ）を移す間、折曲げタブ（ａ２、ａ４）に接着剤を分与し、塗布することができるように、物品（Ｄ）の上面の上で折り曲げられた折曲げタブ（ａ２、ａ４）の上に位置決めされるように、第２のフレーム（Ｔ２）の第１の水平スライドガイド（５）上にスライド可能に搭載されたキャリッジ（１５）に担持され、束縛されるように前もって配置された１対の接着剤分与ガン（７３）を備える（たとえば、ガンが折曲げタブに接着剤を分与している図３Ｃを参照のこと）。
【００９１】
前記に示すように、上方および側面からの関連図である図２Ａおよび図２Ｂに、本発明の段ボールシートから得られ、前記に記述した折曲げステーション（Ｓ４）を備える、段ボール箱の内部で物品を包装するための機械（１００）の配置図を示す。
【００９２】
図２Ｃおよび図２Ｄは、包装用段ボールブランクを得るように、段ボールシートを処理するために段ボールの連続ストリップから切断された段ボールシートを得ることから始まり、包装機械（１００）が行うさまざまな動作、および物品を中心に包装するために段ボールブランクを巻き付け、包装された物品を内側に伴い、閉じられた段ボール箱を得るための動作を、連続した画像で概略的に示す。
【００９３】
詳細には、図２Ｃは、一連の画像を用いて、本発明の機械の主要な動作ステップをいくつか示し、一方では、図２Ｄは、段ボールの連続ストリップから切断された段ボールシートから始まり、段ボール箱の内部で物品を包装するために機械（１００）が遂行する、完全に連続したすべての動作ステップを示し、これらの動作は、切断された段ボールシートから始まり、図１に示す段ボールブランクなどの段ボールブランク（Ｃ）を実現するステップと、物品を包装して、段ボール箱の内部に物品を閉じるように、物品を中心に段ボールブランクを折り曲げるステップとを含む。
【００９４】
図２Ｃおよび図２Ｄに連続する画像で示す動作シーケンスは、異なる形状および寸法の２つの物品の包装を参照して示されており、したがって、段ボールブランクも２つの場合に得られる最終的な箱も、異なる形状および寸法を有する。
【００９５】
このシーケンスはまた、本発明の機械（１００）が、どのようにして物品の寸法と無関係に、関連する段ボール箱の内部に物品を包装し、閉じることができるかを、すなわち、ブランクが物品を中心に折り曲げられ、箱の内部に物品が包装され梱包された関連する箱を得ることができるように、機械（１００）が、どのようにして物品の有効寸法に基づき包装用段ボールを実現するかを、例証するためのものである。
【００９６】
機械（１００）は、
−ファンフォールド（ＳＦ）を形成するために、ふいご方式で折り重ねられた、段ボール（Ｓ）の連続ストリップが前もって配置された貯蔵所（Ｍ）と、
−貯蔵所（Ｍ）の下流に位置する、段ボール（Ｓ）の連続ストリップから得られる段ボールシート（Ｆ）の区分化ステーション（Ｓ１）であって、ファンフォールド（ＳＦ）から巻き戻された段ボール（Ｓ）の連続ストリップが供給され、前進方向（ｗ）で前進させられ、段ボールシート（Ｆ）を得るように切断され、同時に、段ボール（Ｓ）の連続ストリップの切断縁部上に平行に横方向折目線（Ｔ４）が実現される区分化ステーション（Ｓ１）と、
−区分化ステーション（Ｓ１）から到来する、切断された段ボールシート（Ｆ）が供給される、区分化ステーション（Ｓ１）の下流の折目線形成ステーション（Ｓ１＊）であって、区分化ステーション（Ｓ１）で事前に実現された折目線（Ｔ４）と共に、上述の５つの部分（Ｐ１、Ｐ２、Ｐ３、Ｐ４、Ｐ５）を中央セクタ（ＳＣ）内で識別するために、中央セクタ（ＳＣ）、および２つの側方セクタ（ＳＬ１、ＳＬ２）、および３つの横方向折目線（Ｔ１、Ｔ２、Ｔ３）を段ボールシート内で識別するように、２つの縦方向折目線（Ｌ１、Ｌ２）が段ボールシート（Ｆ）上で実現され、２つの側方セクタ（ＳＬ１、ＳＬ２）の段ボールシートの部分内で、段ボールブランクの第３の側方を閉じる壁（Ｃ３）および第４の側方を閉じる壁（Ｃ４）が得られる２つの側方折曲げフラップ（Ａ１、Ａ２）の第１の折曲げタブ（ａ１）、第２の折曲げタブ（ａ２）、第３の折曲げタブ（ａ３）、および第４の折曲げタブ（ａ４）を識別する２対の縦方向折曲げ線（ａ，ｂ）（ｃ，ｄ）が第１の部分（Ｐ１）の側面に作られる折目線形成ステーション（Ｓ１＊）と
を備える。
【００９７】
折目線形成ステーション（Ｓ１＊）では、縦方向折目線（Ｌ１、Ｌ２）および横方向折目線（Ｔ１、Ｔ２、Ｔ３）は、梱包すべき物品の有効寸法の関数として、詳細には、物品の底部の寸法（幅Ｌ、長さｌ）および物品の側面の高さ（Ｈ）の関数として実現される。
【００９８】
詳細には、たとえば、２つの縦方向折目線（Ｌ１、Ｌ２）は、物品の底部の長さ（Ｌ）に等しい相互距離の所に作られ、第１の横方向折目線（Ｔ１）は、物品の第１の側面の高さ（Ｈ）に対応する段ボールシートの第１の横方向縁部（Ｂ１）（折目線形成ステーションの中への送込み方向に対して上流の縁部）から一定距離の所に作られ、第２の横方向折目線（Ｔ２）は、物品の底部の幅（Ｉ）に基づき第１の横方向折目線（Ｔ１）から一定距離の所に作られ、第３の横方向折目線（Ｔ３）は、第１の側面に対向する、物品の第２の側面の高さ（Ｈ）に対応する第２の折目線（Ｔ２）から一定距離れた所に、かつ物品の上面の幅（Ｌ＊）に対応する、区分化ステーション（Ｓ１）内で事前に実現された折目線（Ｔ４）に対応する第４の横方向折目線（Ｔ４）から一定距離の所に作られる。
【００９９】
段ボール（Ｓ）の連続ストリップから得られる段ボールシート（Ｆ）の、上述の区分化ステーション（Ｓ１）は、ファンフォールド（Ｆ）から巻き戻された段ボール（Ｓ）の連続ストリップを載せて受け入れることができるように前もって配置されたコンベヤ平面（１）と、前進方向（ｗ）でコンベヤ平面（１）に沿って段ボール（Ｓ）の連続ストリップを前進させるための、および段ボール（Ｓ）の連続ストリップの切断を可能にするために段ボール（Ｓ）の連続ストリップを停止させるための運搬手段（２）と、段ボール（Ｓ）の連続ストリップから得られた段ボールシート（Ｆ）を分割および切断して、切断縁部の近傍に（段ボールシート内の第４の折目線（Ｔ４）を構成する）折目線（Ｔ４）を同時に実現するための、コンベヤ平面（１）の上方に前もって配置された分割グループ（３）とを備える。
【０１００】
折目線形成ステーション（Ｓ１＊）は、
段ボールシート（Ｆ）内で中央セクタ（ＳＣ）および２つの側方セクタ（ＳＬ１、ＳＬ２）を識別するように、梱包すべき物品の底部の長さ（Ｌ）に対応する距離だけ互いに遠ざけられた、前進線に平行、かつ段ボールシート（Ｆ）の縦方向縁部（ＢＬ）に平行な２つの縦方向折目線（Ｌ１、Ｌ２）を段ボールシート（Ｆ）上に実現するように前もって配置された第１の折目線形成手段（５１）と（たとえば、図２Ｄの左から始まる３番目の画像を参照のこと）、
中央セクタ（ＳＣ）内で第４の折目線（Ｔ４）（区分化ステーション（Ｓ１）で実現された折目線（Ｔ４）である）と共に、以下の方法で上述の５つの部分（Ｐ１、Ｐ２、Ｐ３、Ｐ４、Ｐ５）を識別するように、互いに平行に遠ざけられた３つの横方向折目線（Ｔ１、Ｔ２、Ｔ３）を中央セクタ（ＳＣ）内で実現するために前もって配置された第２の折目線形成手段（５２）と（図１、および図２Ｄの左から始まる４番目の画像を参照のこと）
を備える（図２Ａ，図２Ｂ）。
【０１０１】
梱包すべき物品の底部に対応する寸法を有する、第１の横方向折目線（Ｔ１）と第２の横方向折目線（Ｔ２）の間にある第１の部分（Ｐ１）、
物品の第１の側面に対応する寸法を有する、段ボールシート（Ｆ）の第１の横方向縁部（Ｂ１）と第１の横方向折目線（Ｔ１）の間にある第２の部分（Ｐ２）、
第１の側面に対向する、物品の第２の側面に対応する寸法を有する、第２の横方向折目線（Ｔ２）と第３の横方向折目線（Ｔ３）の間にある、第１の部分（Ｐ１）に隣接する第３の部分（Ｐ３）、
物品の上面に対応する寸法を有する、第３の折目線（Ｔ３）と第４の折目線（Ｔ４）（言及したように、区分化ステーション（Ｓ１）で実現された折目線（Ｔ４）である）の間にある第４の部分（Ｐ４）、
ならびに第４の横方向折目線（Ｔ４）を越えて段ボールシート（Ｆ）の第２の横方向縁部（Ｂ２）まで、段ボール箱の閉鎖／開放タブ（ＡＣ）を構成する、段ボールシートの材料のストリップにより構成される第５の部分（Ｐ５）。
【０１０２】
詳細には、第２の折目線形成手段（５２）は、段ボールシート（Ｆ）の一方の縦方向縁部（ＢＬ）から他方の縦方向縁部（ＢＬ）まで３つの横方向折目線（Ｔ１、Ｔ２、Ｔ３）を実現するために前もって配置され、その結果、横方向折目線はまた、段ボールシート（Ｆ）の２つの側方セクタ（ＳＬ１、ＳＬ２）を伴う。
【０１０３】
最後に、折目線形成ステーション（Ｓ１＊）は、第１の部分（Ｐ１）の側面で、２つの折曲げ線（Ｌ１、Ｌ２）に平行であり、かつ第１の部分（Ｐ１）と同じ幅伸長を有する縦方向折曲げ線の対（ａ，ｂ）、（ｃ，ｄ）を２つの側方セクタ（ＳＬ１、ＳＬ２）の段ボールシート（Ｆ）の部分内に実現するように前もって配置された第３の折目線形成手段（５３）をさらに備える。
【０１０４】
機械は、縦方向折目線（Ｌ１、Ｌ２）および４つの横方向折目線（Ｔ１、Ｔ２、Ｔ３、Ｔ４）および折曲げ線の対（ａ，ｂ）、（ｃ，ｄ）を伴い前進方向で段ボールシート（Ｆ）が供給される、折目線形成ステーション（Ｓ１＊）の下流の横方向切断ステーション（Ｓ２）をさらに備え、この切断ステーション（Ｓ２）の中に、２つの側方セクタ（ＳＬ１、ＳＬ２）ごとに、４つの横方向折目線（Ｔ１；Ｔ２、Ｔ３、Ｔ４）の所で、すなわち、関連する横方向折目線の所でそれぞれ、段ボールシート上に４つの横方向切れ目（Ｉ１；Ｉ２、Ｉ３、Ｉ４）が作られる。
【０１０５】
横方向切断ステーション（Ｓ２）は、その出口で、上述のように、前述で示し、かつ図１に示す包装用段ボールブランクなどの、すなわち、中央セクタ（ＳＣ）内に５つの部分（Ｐ１、Ｐ２、Ｐ３、Ｐ４、Ｐ５）を、２つの側方セクタ（ＳＬ１、ＳＬ２）内の２つの側方を包むフラップ（Ａ１、Ａ２）内に６つの強化フラップ（Ｒ１、Ｒ２、Ｒ３、Ｒ４、Ｒ５、Ｒ６）を伴う包装用段ボールブランクなどの包装用段ボールブランク（Ｃ）を提供する（図２Ｃおよび図２Ｄもまた参照のこと）。
【０１０６】
横方向切断ステーション（Ｓ２）は、第２の部分（Ｐ２）の２つの端部に第１の強化フラップ（Ｒ１）および第２の強化フラップ（Ｒ２）を；第１の部分（Ｐ１）の２つの端部に、折曲げ線（ａ）と第１の縦方向折目線（Ｌ１）の間に第１の折曲げタブ（ａ１）、折曲げ線（ｂ）と第１の包むフラップ（Ａ１）の縁部の間に第２の折曲げタブ（ａ２）、および２つの縦方向折曲げ線（ａ，ｂ）の間に中央部分（Ｃ３）を識別する第１対の縦方向折曲げ線（ａ，ｂ）を含む第１の側方を包むフラップ（Ａ１）と、折曲げ線（ｃ）と第２の縦方向折目線（Ｌ２）の間に第３の折曲げタブ（ａ３）、折曲げ線（ｄ）と第２の包むフラップ（Ａ２）の縁部の間に第４の折曲げタブ（ａ４）、および２つの縦方向折曲げ線（ｃ，ｄ）の間に中央部分（Ｃ４）を識別する第２対の縦方向折曲げ線（ｃ，ｄ）を含む第２の側方を包むフラップ（Ａ２）とを；第３の部分（Ｐ３）の２つの端部に、第３の強化フラップ（Ｒ３）および第４の強化フラップ（Ｒ４）を；第４の部分（Ｐ４）の２つの端部に、第５の強化フラップ（Ｒ５）および第６の強化フラップ（Ｒ６）を得るように、４つの横方向折目線（Ｔ１、Ｔ２、Ｔ３、Ｔ４）で段ボールシート（Ｆ）の２つの側方セクタ（ＳＬ１、ＳＬ２）ごとに４つの横方向切れ目（Ｉ１，Ｉ２、Ｉ３、Ｉ４）を達成するために、ならびに横方向切断ステーション（Ｓ２）の出口で、物品を梱包するための段ボールブランク（Ｃ）を提供するように、第４の横方向折目線（Ｔ４）と第２の横方向縁部（Ｂ２）の間で、段ボール箱を閉じるためのタブ（ＡＣ）を形成するために、たとえば段ボールシート（Ｆ）の両側に配列された２対の回転切断ダイ（４１、４２）により構成された切断手段（４１、４２）を備える。
【０１０７】
機械（１００）は、この切断ステーション（Ｓ２）の下流に、段ボールブランクから得られた箱の内部で物品の包装を実現するために必要な、段ボールブランク（Ｃ）に対する動作を行うための、連続する一連の作業ステーションをさらに備える。
【０１０８】
詳細には、横方向切断ステーション（Ｓ２）の下流に、機械（１００）は、連続して次々に、第１の折曲げステーション（Ｓ３）と、梱包すべき物品の供給ステーション（Ｓ３＊）と、本発明の折曲げステーションのように実現され、前述で詳細に記述された、物品を中心に段ボールブランクを部分的に折り曲げるための第２の折曲げステーション（Ｓ４）と、物品を内側に伴い完全に梱包され包装され閉じられた段ボール箱を得るように、物品を中心に段ボールブランクを最終的に折り曲げるための閉鎖ステーション（Ｓ５）とを備える（図２Ａ、図２Ｂを参照のこと）。
【０１０９】
第１の折曲げステーション（Ｓ３）は、段ボールブランク（Ｃ）が前進方向で供給され、かつ段ボールブランク（Ｃ）が停止させられる横方向切断ステーション（Ｓ２）の下流に配列され、同時に、すなわち単一動作で、
第１の強化フラップ（Ｒ１）および第２の強化フラップ（Ｒ２）は、第１の側方を閉じる壁（Ｃ１）を得るために、中央セクタ（ＳＣ）の第２の部分（Ｐ２）上で、第１の縦方向折目線（Ｌ１）および第２の縦方向折目線（Ｌ２）に対して折り曲げられ、
第３の強化フラップ（Ｒ３）および第４の強化フラップ（Ｒ４）は、第２の側方を閉じる壁（Ｃ２）を得るために、中央セクタ（ＳＣ）の第３の部分（Ｐ３）上で、第１の縦方向折目線（Ｌ１）および第２の縦方向折目線（Ｌ２）に対して折り曲げられ、
第５の強化フラップ（Ｒ５）および第６の強化フラップ（Ｒ６）は、上部を閉じる壁（ＰＳ）を得るために、中央セクタ（ＳＣ）の第４の部分（Ｐ４）上で、第１の縦方向折目線（Ｌ１）および第２の縦方向折目線（Ｌ２）に対して折り曲げられ、
第１の側方を包むフラップ（Ａ１）の第１の折曲げタブ（ａ１）は、中央セクタ（ＳＣ）の第１の部分（Ｐ１）の一部の上に重なり、かつ強化縁部を形成するために、第１の縦方向折目線（Ｌ１）に対して折り曲げられ、第１の包むフラップ（Ａ１）の中央部分（Ｃ３）を高い位置のままにしておき、第３の側方を閉じる壁（Ｃ３）を画定し、
第２の側方を包むフラップ（Ａ２）の第３の折曲げタブ（ａ３）は、中央セクタ（ＳＣ）の第１の部分（Ｐ１）の一部を重ねて、強化縁部を形成するために、第２の縦方向折目線（Ｌ２）に対して折り曲げられ、第４の側方を閉じる壁（Ｃ４）を画定するように、第２の側方を包むフラップ（Ａ２）の中央部分（Ｃ４）を高い位置のままにしておく（図１Ａ、図２Ｃの左から５番目の画像、および図２Ｄの左から７番目の画像を参照のこと）。
【０１１０】
言及したように、これらの折曲げ動作は、これまで記述したように、段ボールブランクを用いて、同時に互いに、すなわち単一活動で、したがって、非常に迅速かつすみやかに行われ、段ボールブランクに実に短い一時停止時間を必要とする。
【０１１１】
これに関しては、機械（１００）は、この第１の折曲げステーション（Ｓ３）内に、段ボールブランク（Ｃ）の第１の側方セクタ（ＳＬ１）内に存在する第１の強化フラップ（Ｒ１）、第１の包むフラップ（Ａ１）の第１の折曲げタブ（ａ１）、第３の強化フラップ（Ｒ３）、および第５の強化フラップ（Ｒ５）をそれぞれ折り曲げて配列するように、すなわち：第１の強化フラップ（Ｒ１）を中央セクタ（ＳＣ）の第２の部分（Ｐ２）の上方に；第１の折曲げタブ（ａ１）を中央セクタ（ＳＣ）の第１の部分（Ｐ１）の一部の上方に；第３の強化フラップ（Ｒ３）を中央セクタ（ＳＣ）の第３の部分（Ｐ３）の上方に；第５の強化フラップ（Ｒ５）を中央セクタ（ＳＣ）の第４の部分（Ｐ４）の上方に配列するように、段ボールブランク（Ｃ）の第１の側方セクタ（ＳＬ１）内に存在する第１の強化フラップ（Ｒ１）、第１の包むフラップ（Ａ１）の第１の折曲げタブ（ａ１）、第３の強化フラップ（Ｒ３）、および第５の強化フラップ（Ｒ５）に当接して、これらを第１の縦方向折目線（Ｌ１）を中心に回転させるように、段ボールブランク（Ｃ）の前進方向に平行な回転軸を中心に回転可能な、段ボールブランクの第１の側に配列された第１の折曲げバー（６１）を備える。
【０１１２】
機械（１００）はまた、さらにまた第１の折曲げステーション（Ｓ３）内に、段ボールブランク（Ｃ）の第２の側方セクタ（ＳＬ２）内に存在する第２の強化フラップ（Ｒ２）、第２の包むフラップ（Ａ２）の第３の折曲げタブ（ａ３）、第４の強化フラップ（Ｒ４）、第６の強化フラップ（Ｒ６）をそれぞれ折り曲げて配列するように、すなわち：第２の強化フラップ（Ｒ２）を中央セクタ（ＳＣ）の第２の部分（Ｐ２）の上方に；第３の折曲げタブ（ａ３）を中央セクタ（ＳＣ）の第１の部分（Ｐ１）の一部の上方に；第４の強化フラップ（Ｒ４）を中央セクタ（ＳＣ）の第３の部分（Ｐ３）の上方に；第６の強化フラップ（Ｒ６）を中央セクタ（ＳＣ）の第４の部分（Ｐ４）の上方に配列するように、第２の縦方向折目線（Ｌ２）を中心に段ボールブランク（Ｃ）の第２の側方セクタ（ＳＬ２）内に存在する第２の強化フラップ（Ｒ２）、第２の包むフラップ（Ａ２）の第３の折曲げタブ（ａ３）、第４の強化フラップ（Ｒ４）、第６の強化フラップ（Ｒ６）を回転させるために、それらと当接するように、段ボールブランク（Ｃ）の前進方向に平行な回転軸を中心に回転可能な、段ボールブランクの第２の側の側面のそばに配列された第２の折曲げバー（６２）をさらに備える。
【０１１３】
第１の折曲げステーション（Ｓ３）の出口で、段ボールブランク（Ｃ）は、その上に形成された、第１の側方を閉じる壁（Ｃ１）、第２の側方を閉じる壁（Ｃ２）、上部を閉じる壁（ＰＳ）を有し、これらはすべて、互いの上に折り曲げられ部分的に重なった強化フラップのおかげで強化構造を有し、段ボールブランクの第１の部分（Ｐ１）と同じ平面上にあり、一方では、第３の側方を閉じる壁（Ｃ３）および第４の側方を閉じる壁（Ｃ４）は、中央部分（Ｐ１）に対してすでに部分的に直立し、折り曲げられており、次に、第１の部分（Ｐ１）の上方で第１の折曲げタブ（ａ１）および第３の折曲げタブ（ａ３）の折曲げが続き、段ボールブランクは、図２Ｃの左から５番目の画像に示し、さらにまた図１Ｂに示す形状を有する。
【０１１４】
この第１の折曲げステーション（Ｓ３）の下流に、機械（１００）は、第１の側面が第１の側方を閉じる壁（Ｃ１）の方を向き、第１の側面に対向する第２の側面が第２の側方を閉じる壁（Ｃ２）の方を向き、第１の側面および第２の側面を横断する第３の側面が第３の側方を閉じる壁（Ｃ３）の方を向き、第３の側面に対向する第４の側面が第４の側方を閉じる壁（Ｃ４）の方を向いて、梱包すべき物品がその底面を段ボールブランク（Ｃ）の第１の部分（Ｐ１）の上に載せて置かれる（図２Ｄ）、梱包すべき物品の供給ステーション（Ｓ３＊）を備える（図２Ａ、図２Ｂ、図２Ｄを参照のこと）。
【０１１５】
この段階で、機械（１００）は、物品の挿入ステーション（Ｓ３＊）の下流に、物品が上に載った、すなわち、段ボールブランク（Ｃ）の第１の部分（Ｐ１）の上に載った段ボールブランク（Ｃ）が前進方向で供給され、前進させられる、上述の折曲げステーションおよび本発明の目的と同じ方法で実現される第２の折曲げステーション（Ｓ４）をさらに備える。
【０１１６】
第２の折曲げステーション（Ｓ４）では、段ボールブランク（Ｃ）は、前進方向で前進させられ、第１の折曲げゾーン（Ｚ１）を通して動作状態にある間、同時に（たとえば、図２Ｃの３番目〜最後までの画像、または図２Ｄの１対の、側面に位置する２つの３番目〜最後までの画像を参照のこと）、
第３の側方を閉じる壁（Ｃ３）は、物品の第３の側面を覆うように、第１の折曲げタブ（ａ１）から第３の側方を閉じる壁（Ｃ３）を分離する折曲げ線（ａ）に対して折り曲げられ、第２の折曲げタブ（ａ２）は、物品の上面の一部の上で第２の折曲げタブ（ａ２）を重ねるように、第３の側方を閉じる壁（Ｃ３）から第２の折曲げタブ（ａ２）を分離する折目線（ｂ）に対して折り曲げられ、
第４の側方を閉じる壁（Ｃ４）は、物品の第４の側面を覆うように、第３の折曲げタブ（ａ３）から第４の側方を閉じる壁（Ｃ４）を分離する折目線（ｃ）に対して折り曲げられ、第４の折曲げタブ（ａ４）は、物品の上面の一部の上に第４の折曲げタブ（ａ４）を重ねるように、第４の側方を閉じる壁（Ｃ４）から第４の折曲げタブ（ａ４）を分離する折目線（ｄ）に対して折り曲げられる。
【０１１７】
これらの折曲げ動作は、言及したように、前進方向に沿って段ボールブランクを前進させることにより行われ、これらの折曲げ動作が完了するとすぐに、機械（１００）は、物品の上面の上に折り曲げられた第２の折曲げタブ（ａ２）および第４の折曲げタブ（ａ４）の上に接着剤を塗布する。
【０１１８】
機械（１００）はまた、この場合も第２の折曲げステーション（Ｓ４）内で、接着剤が塗布されると、第２の折曲げゾーン（Ｚ２）内で段ボールブランクを停止させるステップと（たとえば、図２の最後から２番目の画像、または図２Ｄの１対の２つの最後から２番目の画像を参照のこと）、
第２の側方を閉じる壁（Ｃ２）が物品の第２の側面を覆うようになるときまで物品が載る第１の部分（Ｐ１）に対して第２の側方を閉じる壁（Ｃ２）を折り曲げるように（たとえば、９０°だけ折り曲げられる）、第２の横方向折目線（Ｔ２）に対して第２の側方を閉じる壁（Ｃ２）を回転させるステップと、
次いで、順に、上部を閉じる壁（ＰＳ）が物品の上面を覆うようになるときまで第２の側方を閉じる壁（Ｃ２）に対して上部を閉じる壁（ＰＳ）を折り曲げるように（たとえば、９０°だけ折り曲げられる）、第３の横方向折目線（Ｔ３）に対して上部を閉じる壁（ＰＳ）を回転させるステップと
を含む。
【０１１９】
このために、機械（１００）は、この第２の折曲げステーション（Ｓ４）内に（図２Ａ、図２Ｂを参照のこと）、
第３の側方を閉じる壁（Ｃ３）が物品の第３の側面を覆うようになるときまで、第３の側方を閉じる壁（Ｃ３）を回転させて、折り曲げるための、および物品の上面の一部の上に第２の折曲げタブ（ａ２）を重ねるまで、第３の側方を閉じる壁（Ｃ３）から第２の折曲げタブ（ａ２）を分離する折目線（ｂ）に対して第２の折曲げタブ（ａ２）を回転させて、第２の折曲げタブ（ａ２）を折り曲げるための、第１の折曲げ手段（７１）と、
第４の側方を閉じる壁（Ｃ４）が物品の第４の側面を覆うようになるときまで、第４の側方を閉じる壁（Ｃ４）を回転させて、折り曲げるための、および物品の上面の一部の上に第４の折曲げタブ（ａ４）を重ねるまで第４の折曲げタブ（ａ４）を折り曲げるように、第４の側方を閉じる壁（Ｃ４）から第４の折曲げタブ（ａ４）を分離する折目線（ｄ）に対して第４の折曲げタブ（ａ４）を回転させるための、第２の折曲げ手段（７２）と、
物品の上面の上に折り曲げられた第２の折曲げタブ（ａ２）および第４の折曲げタブ（ａ４）の上に接着剤を塗布するために前もって配置された接着剤塗布手段（７３）と、
接着剤塗布手段（７３）が接着剤を塗布すると、段ボールブランク（Ｃ）を妨害し、停止させるための妨害手段（７４）と、
第２の側方を閉じる壁（Ｃ２）が物品の第２の側面を覆うようになるときまで、物品が載った第１の部分（Ｐ１）に対して第２の側方を閉じる壁（Ｃ２）を折り曲げるように、第２の側方を閉じる壁（Ｃ２）を回転させるための第３の折曲げ手段（７５）と、
上部を閉じる壁（ＰＳ）が物品の上部を覆うようになるときまで、第２の側方を閉じる壁（Ｃ２）に対して上部を閉じる壁（ＰＳ）を折り曲げて、したがって、第２の折曲げステーション（Ｓ４）から、梱包された物品を内部に伴い、部分的に閉じられた段ボール箱（ＳＣＡ）を出口で提供するように、順に、上部を閉じる壁（ＰＳ）を回転させて、続いて第２の側方を閉じる壁（Ｃ２）を折り曲げるための第４の折曲げ手段（７６）と
を備える。
【０１２０】
この段階で、第２の折曲げステーション（Ｓ４）の出口（ＯＵＴ）で、物品は、折り曲げられた段ボールブランクの中に、かつ包装をほとんど完了した箱の中に、ほとんど完全に包まれる。
【０１２１】
したがって、機械（１００）は、第２の折曲げステーション（Ｓ４）の下流に位置する最終閉鎖ステーション（Ｓ５）に、上述の方法で物品を中心に部分的に折り曲げられた段ボールブランク（Ｃ）を移し、第２の折曲げステーション（Ｓ４）で、段ボールブランクは停止させられ、第１の側方を閉じる壁（Ｃ１）は、物品の第１の側面を覆うようになるように、第１の横方向折目線（Ｔ１）に対して回転させられ、第１の部分（Ｐ１）に対して（たとえば、９０°だけ）折り曲げられ、第１の側方を閉じる壁（Ｃ１）の折曲げと同時に、第１の側方を閉じる壁（Ｃ１）の上部に接着剤が塗布される（図２Ｄの１対の最後の２つの画像の左側の画像を参照のこと）。
【０１２２】
最後に、これらの動作が完了した後、機械（１００）は、最終閉鎖ステーション（Ｓ５）内で段ボールブランクを依然として静止したまま維持しながら、第４の横方向折目線（Ｔ４）に対して閉鎖タブ（ＡＣ）を回転させ、第１の側方を閉じる壁（Ｃ１）の上部に向かって上部の壁（ＰＳ）に対して閉鎖タブ（ＡＣ）を（たとえば、９０°だけ）折り曲げて、閉鎖タブ（ＡＣ）を上部の壁（ＰＳ）に付着させて、包装された物品を内部に伴う段ボール箱の閉鎖を完成させる（図２Ｃの最後の画像、および図２Ｄの１対の２つの他の画像の右側の画像を参照のこと）。
【０１２３】
このために、機械（１００）は、この最終閉鎖ステーション（Ｓ５）内に、
段ボール箱（ＳＣＡ）を停止させるために作動可能な停止手段（８）と、
第１の側方を閉じる壁（Ｃ１）が物品の第１の側面を覆うようになるように、物品が載った第１の部分（Ｐ１）に対して第１の側方を閉じる壁（Ｃ１）折り曲げるように、第１の横方向折目線（Ｔ１）に対して第１の側方を閉じる壁（Ｃ１）を回転させるために、箱（ＳＣＡ）が停止させられると作動するために前もって配置された第５の折曲げ手段（８１）と、
第１の側方を閉じる壁（Ｃ１）が物品の第１の側面に向かって第５の折曲げ手段（８１）により折り曲げられる間、第１の側方を閉じる壁（Ｃ１）の一部の上に接着剤を塗布するために前もって配置された、機能的に第５の折曲げ手段（８１）に関連づけられた接着剤塗布機構（８２）と、
閉鎖タブ（ＡＣ）を第１の側方を閉じる壁（Ｃ１）に付着させて、包装された物品を内部に伴う段ボール箱（ＳＣＡ）の閉鎖を完了させ、したがって、最終閉鎖ステーション（Ｓ５）の出口で、梱包された物品を内部に伴い、完全に閉じられた段ボール箱（ＳＣＡ）を提供するために、第４の横方向折目線（Ｔ４）に対して閉鎖タブ（ＡＣ）を回転させて、接着剤が塗布された第１の側方を閉じる壁（Ｃ１）の上部に向かって上部の壁（ＰＳ）に対して閉鎖タブ（ＡＣ）を折り曲げるために作動可能な第６の折曲げ手段（８３）と
を備える（図２Ａ，図２Ｂを参照のこと）。
【０１２４】
次いで、機械（１００）は、最終閉鎖ステーション（Ｓ５）の出口に、包装された物品を内側に伴う段ボール箱を移し、その結果、段ボール箱を集めて、管理、および注文の発送のためのステーションに向けて誘導する。
【０１２５】
機械（１００）はまた、横方向切断ステーション（Ｓ２）と第１の折曲げステーション（Ｓ３）の間に、切り落としステーション（Ｓ２＊）をさらに備え、切り落としステーション（Ｓ２＊）では、第２の部分（Ｐ２）、第３の部分（Ｐ３）、および第４の部分（Ｐ４）の有効寸法に強化フラップ（Ｒ１、Ｒ２、Ｒ３、Ｒ４、Ｒ５、Ｒ６）の幅を適合させるように、縦方向縁部に沿って段ボールブランクをトリムすることができ、その結果、２つの側方折曲げフラップ（Ａ１、Ａ２）の幅を物品の第３の側面および第４の側面の有効寸法に適合させるように、強化フラップをこれらの部分（Ｐ２、Ｐ３、Ｐ４）の上方で効果的に折り曲げて、少なくとも部分的に互いに重なることができる。
【０１２６】
機械（１００）はまた、この場合も横方向切断ステーション（Ｓ２）と第１の折曲げステーション（Ｓ３）の間で、切り落としステーション（Ｓ２＊）の下流に、少なくとも強化フラップ（Ｒ１、Ｒ２、Ｒ３、Ｒ４、Ｒ５、Ｒ６）の上に、および／または次の第１の折曲げステーション（Ｓ３）内で強化フラップ（Ｒ１、Ｒ２、Ｒ３、Ｒ４、Ｒ５、Ｒ６）が折り曲げられなければならない、第２の部分（Ｐ２）、第３の部分（Ｐ３）、および第４の部分（Ｐ４）の上に、接着剤を塗布するための手段を備える接着剤塗布ステーション（Ｓ２＊＊）を備える。